(57)【要約】  インフラストラクチャ装置を含むワイヤレス通信ネットワークで使用される通信デバイスが提供される。  通信デバイスは、ワイヤレス通信ネットワークによって提供されるワイヤレスアクセスインターフェースを介してインフラストラクチャ装置に信号を伝送するように構成された送信機回路、ワイヤレスアクセスインターフェースを介してインフラストラクチャ装置から信号を受信するように構成された受信機回路、および制御回路を備える。制御回路は、送信機回路および受信機回路を制御して、インフラストラクチャ装置からの第１無線信号に対する第１サーチスペースをモニタし、第１サーチスペースは、繰り返しレベルセットの一部を形成する複数の繰り返しレベルのうちの関連する１つをそれぞれが有する第１無線信号の各候補を含み、関連する繰り返しレベルは、候補が伝送されてもよい繰り返し数を示し、第１無線信号は、通信デバイスによるインフラストラクチャ装置への第２無線信号の伝送に関するスケジューリング情報を含み、第１サーチスペース内で第１無線信号を検出すると、第２無線信号をインフラストラクチャ装置へ伝送し、第２無線信号は、複数の連続する期間のそれぞれの間に所定の回数で繰り返し伝送され、インフラストラクチャ装置からの１つまたは複数の第３無線信号に対する第２サーチスペースをモニタし、第２サーチスペースは、ワイヤレスアクセスインターフェースの既知の周波数リソースおよび既知の時間リソースの一部であり、かつ繰り返しレベルセットの関連する繰り返しレベルをそれぞれが有する第３無線信号の１つまたは複数の候補を含み、第２無線信号の伝送の間に第３無線信号のうち少なくとも１つをモニタすることを決定し、１つまたは複数の第３無線信号は、第３無線信号の候補のうち１つを用いて、第３無線信号の選択された候補に関連する繰り返しレベルによって示される回数で繰り返し伝送され、第１無線信号、第２無線信号、および／または第３無線信号のうち少なくとも１つの基準に基づいて、１つまたは複数の第３無線信号が受信される場合があるワイヤレスアクセスインターフェースの周波数リソースおよび時間リソースの既知のサブセットの間に早期終了インジケータをモニタし、早期終了インジケータは、インフラストラクチャ装置から受信され、かつインフラストラクチャ装置への第２無線信号の伝送が終了される必要があることを示し、および、受信した早期終了に基づいて、インフラストラクチャ装置への第２無線信号の伝送を終了するように構成される。
2021514585.tif 000002
【特許請求の範囲】
【請求項１】
インフラストラクチャ装置を含むワイヤレス通信ネットワークで使用される通信デバイスであって、
前記ワイヤレス通信ネットワークによって提供されるワイヤレスアクセスインターフェースを介して信号を前記インフラストラクチャ装置に伝送するように構成された送信機回路と、
前記ワイヤレスアクセスインターフェースを介して信号を前記インフラストラクチャ装置から受信するように構成された受信機回路と、
前記送信機回路および前記受信機回路を制御して、
前記インフラストラクチャ装置からの第１無線信号に対する第１サーチスペースをモニタし、前記第１サーチスペースは、繰り返しレベルセットの一部を形成する複数の繰り返しレベルのうち関連する１つをそれぞれが有する前記第１無線信号の各候補を含み、前記関連する繰り返しレベルは、前記候補が伝送されてもよい繰り返し数を示し、前記第１無線信号は、前記通信デバイスによる前記インフラストラクチャ装置への第２無線信号の伝送に関するスケジューリング情報を含み、
前記第１サーチスペース内で前記第１無線信号を検出すると、前記第２無線信号を前記インフラストラクチャ装置へ伝送し、前記第２無線信号は、複数の連続する期間のそれぞれの間に所定の回数で繰り返し伝送され、
前記インフラストラクチャ装置からの１つまたは複数の第３無線信号に対する第２サーチスペースをモニタし、前記第２サーチスペースは、前記ワイヤレスアクセスインターフェースの既知の周波数リソースおよび既知の時間リソースの一部であり、かつ前記繰り返しレベルセットの関連する繰り返しレベルをそれぞれが有する前記第３無線信号の１つまたは複数の候補を含み、
前記第２無線信号の伝送の間に前記第３無線信号のうち少なくとも１つをモニタすることを決定し、前記１つまたは複数の第３無線信号は、前記第３無線信号の前記候補のうち１つを用いて、前記第３無線信号の前記選択された候補に関連する前記繰り返しレベルによって示される回数で繰り返し伝送され、
前記第１無線信号、前記第２無線信号、および／または前記第３無線信号のうち少なくとも１つの基準に基づいて、前記１つまたは複数の第３無線信号が受信される場合がある前記ワイヤレスアクセスインターフェースの前記周波数リソースおよび前記時間リソースの既知のサブセットの間に早期終了インジケータをモニタし、前記早期終了インジケータは、前記インフラストラクチャ装置から受信され、かつ前記インフラストラクチャ装置への前記第２無線信号の伝送が終了される必要があることを示し、および
前記受信した早期終了インジケータに基づいて、前記インフラストラクチャ装置への前記第２無線信号の伝送を終了する
ように構成された制御回路と、を備える、
通信デバイス。
【請求項２】
前記早期終了インジケータがモニタされる基準は、前記第２無線信号が繰り返し伝送される間の時間が、前記繰り返しレベルセットのうち最大の前記繰り返しレベルを用いて特定数の前記第１無線信号が繰り返し伝送されるのに必要な時間よりも長いかどうかである、請求項１に記載の通信デバイス。
【請求項３】
前記早期終了インジケータがモニタされる基準は、前記第２無線信号が繰り返し伝送される間の時間が、前記繰り返しレベルセットのうち最大の前記繰り返しレベルを用いて特定数の前記第３無線信号が繰り返し伝送されるのに必要な時間よりも長いかどうかである、請求項１に記載の通信デバイス。
【請求項４】
前記第３無線信号の２つのサーチスペース間で、所定の時間長のオフセット期間が存在し、
前記早期終了インジケータがモニタされる基準は、前記第２無線信号が繰り返し伝送される間の時間が、特定数のオフセットピリオドの時間期間に加えて前記繰り返しレベルセットのうち最大の前記繰り返しレベルを用いて前記第３無線信号の特定の候補が伝送されるのに必要な時間よりも長いかどうかである、請求項１に記載の通信デバイス。
【請求項５】
前記第３無線信号に対する前記第２サーチスペースが位置している前記ワイヤレスアクセスインターフェースの前記周波数リソースおよび前記時間リソースの前記既知のサブセットは、前記第１無線信号の前記第１サーチスペースに使用される前記周波数リソースおよび前記時間リソースと同じである、請求項１に記載の通信デバイス。
【請求項６】
前記早期終了インジケータがモニタされる基準は、前記第２無線信号が繰り返し伝送される間の時間が、前記第１無線信号を繰り返し伝送するために前記インフラストラクチャ装置によって選択された前記繰り返しレベルセットの前記繰り返しレベルを用いて特定数で前記第１無線信号が繰り返し伝送されるのに必要な時間よりも長いかどうかである、請求項１に記載の通信デバイス。
【請求項７】
前記第１無線信号を繰り返し伝送するために前記インフラストラクチャ装置によって選択された前記繰り返しレベルセットの繰り返しレベルは、所定量でオフセットされ、前記早期終了インジケータがモニタされる基準は、前記第２無線信号が繰り返し伝送される間の時間が、前記オフセット繰り返しレベルを用いて特定数の前記第１無線信号が繰り返し伝送されるのに必要な時間よりも長いかどうかである、請求項１に記載の通信デバイス。
【請求項８】
前記第１無線信号の伝送に用いられる前記候補と、同じ前記ワイヤレスアクセスインターフェースの前記周波数リソースおよび前記時間リソースを共有する、前記第１サーチスペースの１つまたは複数の前記第１無線信号候補は、使用がブロックされ、
前記１つまたは複数の第３無線信号がモニタされる場合がある前記ワイヤレスアクセスインターフェースの前記周波数リソースおよび前記時間リソースの前記既知のサブセットは、使用がブロックされない前記第１サーチスペースの前記第１無線信号候補を含む前記周波数リソースおよび前記時間リソースを含む、請求項１に記載の通信デバイス。
【請求項９】
前記１つまたは複数の第３無線信号が受信される場合がある前記ワイヤレスアクセスインターフェースの前記周波数リソースおよび前記時間リソースの前記既知のサブセットは、前記第２無線信号の伝送の間に、１つまたは複数の次の第１信号の少なくとも一部が受信される前記ワイヤレスアクセスインターフェースの前記既知の周波数リソースおよび既知の時間リソースの一部をさらに含む、請求項８に記載の通信デバイス。
【請求項１０】
前記１つまたは複数の第３無線信号が受信される場合がある前記ワイヤレスアクセスインターフェースの前記周波数リソースおよび前記時間リソースの前記既知のサブセットは、構成可能な開始時間から構成可能な終了時間までに収まる周波数リソースおよび時間リソースを含む、請求項１に記載の通信デバイス。
【請求項１１】
前記構成可能な開始時間は、前記第２信号の伝送が開始される時間に関連して設定される、請求項１０に記載の通信デバイス。
【請求項１２】
前記構成可能な終了時間は、それまでに前記第２信号を前記通信デバイスが伝送する必要があることを、前記スケジューリング情報が示す最終の時間に関連して設定される、請求項１０に記載の通信デバイス。
【請求項１３】
前記構成可能な開始時間は、前記第１信号の伝送に用いられる前記候補に続く前記第１サーチスペースの残りの候補が始まる時間に関連して設定される、請求項１０に記載の通信デバイス。
【請求項１４】
前記構成可能な終了時間は、それまでに前記第２信号を前記通信デバイスが伝送する必要があることを、前記スケジューリング情報が示す最終の時間と重複する前記第１サーチスペースの最後の候補の終了時間に関連して設定される、請求項１０に記載の通信デバイス。
【請求項１５】
前記構成可能な開始時間から前記構成可能な終了時間までに収まる前記周波数リソースおよび時間リソースは、前記１つまたは複数の第３無線信号が受信される場合がある第３サーチスペースを形成し、前記第３サーチスペースは、前記第１サーチスペース内で前記第１無線信号を伝送するために前記インフラストラクチャ装置によって選択された前記繰り返しレベルセットの繰り返しレベルと関連する前記第３無線信号候補を含む、請求項１０に記載の通信デバイス。
【請求項１６】
インフラストラクチャ装置を含むワイヤレス通信ネットワークで使用される通信デバイスを動作させる方法であって、
前記インフラストラクチャ装置からの第１無線信号に対する第１サーチスペースをモニタすることであって、前記第１サーチスペースは、繰り返しレベルセットの一部を形成する複数の繰り返しレベルのうち関連する１つをそれぞれが有する前記第１無線信号の各候補を含み、前記関連する繰り返しレベルは、前記候補が伝送されてもよい繰り返し数を示し、前記第１無線信号は、前記通信デバイスによる前記インフラストラクチャ装置への第２無線信号の伝送に関するスケジューリング情報を含む、モニタすることと、
前記第１サーチスペース内で前記第１無線信号を検出すると、前記第２無線信号を前記インフラストラクチャ装置へ伝送することであって、前記第２無線信号は、複数の連続する期間のそれぞれの間に所定の回数で繰り返し伝送される、伝送することと、
前記インフラストラクチャ装置からの１つまたは複数の第３無線信号に対する第２サーチスペースをモニタすることであって、前記第２サーチスペースは、前記ワイヤレスアクセスインターフェースの既知の周波数リソースおよび既知の時間リソースの一部であり、かつ前記繰り返しレベルセットの関連する繰り返しレベルをそれぞれが有する前記第３無線信号の１つまたは複数の候補を含む、モニタすることと、
前記第２無線信号の伝送の間に前記第３無線信号のうち少なくとも１つをモニタすることを決定することであって、前記１つまたは複数の第３無線信号は、前記第３無線信号の前記候補のうち１つを用いて前記第３無線信号の前記選択された候補に関連する前記繰り返しレベルによって示される回数で繰り返し伝送される、決定することと、
前記第１無線信号、前記第２無線信号、および／または前記第３無線信号のうち少なくとも１つの基準に基づいて、前記１つまたは複数の第３無線信号が受信される場合がある前記ワイヤレスアクセスインターフェースの前記周波数リソースおよび前記時間リソースの既知のサブセットの間に早期終了インジケータをモニタすることであって、前記早期終了インジケータは、前記インフラストラクチャ装置から受信され、かつ前記インフラストラクチャ装置への前記第２無線信号の伝送が終了される必要があることを示す、モニタすることと、
前記受信した早期終了インジケータに基づいて、前記インフラストラクチャ装置への前記第２無線信号の伝送を終了することと、を含む、
方法。
【請求項１７】
インフラストラクチャ装置を含むワイヤレス通信ネットワークで使用される通信デバイス向けの回路であって、前記通信デバイスは、
前記ワイヤレス通信ネットワークによって提供されるワイヤレスアクセスインターフェースを介して信号を前記インフラストラクチャ装置に伝送するように構成された送信機回路と、
前記ワイヤレスアクセスインターフェースを介して信号を前記インフラストラクチャ装置から受信するように構成された受信機回路と、
前記送信機回路および前記受信機回路を制御して、
前記インフラストラクチャ装置からの第１無線信号に対する第１サーチスペースをモニタし、前記第１サーチスペースは、繰り返しレベルセットの一部を形成する複数の繰り返しレベルのうちの関連する１つをそれぞれが有する前記第１無線信号の各候補を含み、前記関連する繰り返しレベルは、前記候補が伝送されてもよい繰り返し数を示し、前記第１無線信号は、前記通信デバイスによる前記インフラストラクチャ装置への第２無線信号の伝送に関するスケジューリング情報を含み、
前記第１サーチスペース内で前記第１無線信号を検出すると、前記第２無線信号を前記インフラストラクチャ装置へ伝送し、前記第２無線信号は、複数の連続する期間のそれぞれの間に所定の回数で繰り返し伝送され、
前記インフラストラクチャ装置からの１つまたは複数の第３無線信号に対する第２サーチスペースをモニタし、前記第２サーチスペースは、前記ワイヤレスアクセスインターフェースの既知の周波数リソースおよび既知の時間リソースの一部であり、かつ前記繰り返しレベルセットの関連する繰り返しレベルをそれぞれが有する前記第３無線信号の１つまたは複数の候補を含み、
前記第２無線信号の伝送の間に前記第３無線信号のうち少なくとも１つをモニタすることを決定し、前記１つまたは複数の第３無線信号は、前記第３無線信号の前記候補のうち１つを用いて、前記第３無線信号の前記選択された候補に関連する前記繰り返しレベルによって示される回数で繰り返し伝送され、
前記第１無線信号、前記第２無線信号、および／または前記第３無線信号のうち少なくとも１つの基準に基づいて、前記１つまたは複数の第３無線信号が受信される場合がある前記ワイヤレスアクセスインターフェースの前記周波数リソースおよび前記時間リソースの既知のサブセットの間に早期終了インジケータをモニタし、前記早期終了インジケータは、前記インフラストラクチャ装置から受信され、かつ前記インフラストラクチャ装置への前記第２無線信号の伝送が終了される必要があることを示し、および
前記受信した早期終了インジケータに基づいて、前記インフラストラクチャ装置への前記第２無線信号の伝送を終了する
ように構成された制御回路と、を備える、
回路。
【請求項１８】
通信デバイスを含むワイヤレス通信ネットワークで使用されるインフラストラクチャ装置であって、
前記ワイヤレス通信ネットワークによって提供されるワイヤレスアクセスインターフェースを介して信号を前記通信デバイスに伝送するように構成された送信機回路と、
前記ワイヤレスアクセスインターフェースを介して信号を前記通信デバイスから受信するように構成された受信機回路と、
前記送信機回路および前記受信機回路を制御して、
第１サーチスペース内で、第１無線信号を前記通信デバイスに伝送し、前記第１サーチスペースは、繰り返しレベルセットの一部を形成する複数の繰り返しレベルのうち関連する１つをそれぞれが有する前記第１無線信号の各候補を含み、前記関連する繰り返しレベルは、前記候補が伝送されてもよい繰り返し数を示し、前記第１無線信号は、前記通信デバイスによる前記インフラストラクチャ装置への第２無線信号の伝送に関するスケジューリング情報を含み、
前記通信デバイスから前記第２無線信号を受信し、前記第２無線信号は、複数の連続する期間のそれぞれの間に所定の回数で繰り返し伝送され、
前記ワイヤレスアクセスインターフェースの既知の周波数リソースおよび既知の時間リソースの一部を含む第２サーチスペース内で、１つまたは複数の第３無線信号を前記通信デバイスに伝送し、前記第２サーチスペースは、前記ワイヤレスアクセスインターフェースの既知の周波数リソースおよび既知の時間リソースの一部であり、かつ前記繰り返しレベルセットの関連する繰り返しレベルをそれぞれが有する前記第３無線信号の１つまたは複数の候補を含み、
前記１つまたは複数の第３無線信号が伝送される場合がある前記ワイヤレスアクセスインターフェースの前記周波数リソースおよび前記時間リソースの既知のサブセットの間に、早期終了インジケータを前記通信デバイスに伝送し、前記早期終了インジケータは、前記インフラストラクチャ装置への前記第２無線信号の伝送が終了される必要があることを示す
ように構成された制御回路と、を備える、
インフラストラクチャ装置。
【請求項１９】
通信デバイスを含むワイヤレス通信ネットワークで使用されるインフラストラクチャ装置を動作させる方法であって、
前記通信デバイスから第１無線信号を受信することであって、前記第１無線信号は、複数の連続する期間のそれぞれの間に所定の回数で繰り返し伝送される、受信することと、
第１サーチスペース内で、前記第１無線信号を前記通信デバイスに伝送することであって、前記第１サーチスペースは、繰り返しレベルセットの一部を形成する複数の繰り返しレベルのうち関連する１つをそれぞれが有する前記第１無線信号の各候補を含み、前記関連する繰り返しレベルは、前記候補が伝送されてもよい繰り返し数を示し、前記第１無線信号は、前記通信デバイスによる前記インフラストラクチャ装置への第２無線信号の伝送に関するスケジューリング情報を含む、伝送することと、
前記通信デバイスからの前記第２無線信号を受信することであって、前記第２無線信号は、複数の連続する期間のそれぞれの間に所定の回数で繰り返し伝送される、受信することと、
前記ワイヤレスアクセスインターフェースの既知の周波数リソースおよび既知の時間リソースの一部を含む第２サーチスペース内で、１つまたは複数の第３無線信号を前記通信デバイスに伝送することであって、前記第２サーチスペースは、前記ワイヤレスアクセスインターフェースの既知の周波数リソースおよび既知の時間リソースの一部であり、かつ前記繰り返しレベルセットの関連する繰り返しレベルをそれぞれが有する前記第３無線信号の１つまたは複数の候補を含む、伝送することと、
前記１つまたは複数の第３無線信号が伝送される場合がある前記ワイヤレスアクセスインターフェースの前記周波数リソースおよび前記時間リソースの既知のサブセットの間に、早期終了インジケータを前記通信デバイスに伝送することであって、前記早期終了インジケータは、前記インフラストラクチャ装置への前記第２無線信号の伝送が終了される必要があることを示す、伝送することと、を含む、
方法。
【請求項２０】
通信デバイスを含むワイヤレス通信ネットワークで使用されるインフラストラクチャ装置向けの回路であって、前記インフラストラクチャ装置は、
前記ワイヤレス通信ネットワークによって提供されるワイヤレスアクセスインターフェースを介して信号を前記通信デバイスに伝送するように構成された送信機回路と、
前記ワイヤレスアクセスインターフェースを介して信号を前記通信デバイスから受信するように構成された受信機回路と、
前記送信機回路および前記受信機回路を制御して、
第１サーチスペース内で、第１無線信号を前記通信デバイスに伝送し、前記第１サーチスペースは、繰り返しレベルセットの一部を形成する複数の繰り返しレベルのうち関連する１つをそれぞれが有する前記第１無線信号の各候補を含み、前記関連する繰り返しレベルは、前記候補が伝送されてもよい繰り返し数を示し、前記第１無線信号は、前記通信デバイスによる前記インフラストラクチャ装置への第２無線信号の伝送に関するスケジューリング情報を含み、
前記通信デバイスから前記第２無線信号を受信し、前記第２無線信号は、複数の連続する期間のそれぞれの間に所定の回数で繰り返し伝送され、
前記ワイヤレスアクセスインターフェースの既知の周波数リソースおよび既知の時間リソースの一部を含む第２サーチスペース内で、１つまたは複数の第３無線信号を前記通信デバイスに伝送し、前記第２サーチスペースは、前記ワイヤレスアクセスインターフェースの既知の周波数リソースおよび既知の時間リソースの一部であり、かつ前記繰り返しレベルセットの関連する繰り返しレベルをそれぞれが有する前記第３無線信号の１つまたは複数の候補を含み、
前記１つまたは複数の第３無線信号が伝送される場合がある前記ワイヤレスアクセスインターフェースの前記周波数リソースおよび前記時間リソースの既知のサブセットの間に、早期終了インジケータを前記通信デバイスに伝送し、前記早期終了インジケータは、前記インフラストラクチャ装置への前記第２無線信号の伝送が終了される必要があることを示す
ように構成された制御回路と、を備える、
回路。
【請求項２１】
インフラストラクチャ装置および通信デバイスを含むワイヤレス通信ネットワークを含むワイヤレス通信システムであって、前記通信デバイスは、
前記インフラストラクチャ装置からの第１無線信号に対する第１サーチスペースをモニタし、前記第１サーチスペースは、繰り返しレベルセットの一部を形成する複数の繰り返しレベルのうちの関連する１つをそれぞれが有する前記第１無線信号の各候補を含み、前記関連する繰り返しレベルは、前記候補が伝送されてもよい繰り返し数を示し、前記第１無線信号は、前記通信デバイスによる前記インフラストラクチャ装置への第２無線信号の伝送に関するスケジューリング情報を含み、
前記第１サーチスペース内で前記第１無線信号を検出すると、前記第２無線信号を前記インフラストラクチャ装置へ伝送し、前記第２無線信号は、複数の連続する期間のそれぞれの間に所定の回数で繰り返し伝送され、
前記インフラストラクチャ装置からの１つまたは複数の第３無線信号に対する第２サーチスペースをモニタし、前記第２サーチスペースは、前記ワイヤレスアクセスインターフェースの既知の周波数リソースおよび既知の時間リソースの一部であり、かつ前記繰り返しレベルセットの関連する繰り返しレベルをそれぞれが有する前記第３無線信号の１つまたは複数の候補を含み、
前記第２無線信号の伝送の間に前記第３無線信号のうち少なくとも１つをモニタすることを決定し、前記１つまたは複数の第３無線信号は、前記第３無線信号の前記候補のうち１つを用いて、前記第３無線信号の前記選択された候補に関連する前記繰り返しレベルによって示される回数で繰り返し伝送され、
前記第１無線信号、前記第２無線信号、および／または前記第３無線信号のうち少なくとも１つの基準に基づいて、前記１つまたは複数の第３無線信号が受信される場合がある前記ワイヤレスアクセスインターフェースの前記周波数リソースおよび前記時間リソースの既知のサブセットの間に早期終了インジケータをモニタし、前記早期終了インジケータは、前記インフラストラクチャ装置から受信され、かつ前記インフラストラクチャ装置への前記第２無線信号の伝送が終了される必要があることを示し、および
前記受信した早期終了インジケータに基づいて、前記インフラストラクチャ装置への前記第２無線信号の伝送を終了するように構成される、
ワイヤレス通信システム。
【請求項２２】
インフラストラクチャ装置および通信デバイスを含むワイヤレス通信ネットワークを含むワイヤレス通信システムを動作させる方法であって、
前記インフラストラクチャ装置からの第１無線信号に対する第１サーチスペースをモニタすることであって、前記第１サーチスペースは、繰り返しレベルセットの一部を形成する複数の繰り返しレベルのうち関連する１つをそれぞれが有する前記第１無線信号の各候補を含み、前記関連する繰り返しレベルは、前記候補が伝送されてもよい繰り返し数を示し、前記第１無線信号は、前記通信デバイスによる前記インフラストラクチャ装置への第２無線信号の伝送に関するスケジューリング情報を含む、モニタすることと、
前記第１サーチスペース内で前記第１無線信号を検出すると、前記第２無線信号を前記インフラストラクチャ装置へ伝送することであって、前記第２無線信号は、複数の連続する期間のそれぞれの間に所定の回数で繰り返し伝送される、伝送することと、
前記インフラストラクチャ装置からの１つまたは複数の第３無線信号に対する第２サーチスペースをモニタすることであって、前記第２サーチスペースは、前記ワイヤレスアクセスインターフェースの既知の周波数リソースおよび既知の時間リソースの一部であり、かつ前記繰り返しレベルセットの関連する繰り返しレベルをそれぞれが有する前記第３無線信号の１つまたは複数の候補を含む、モニタすることと、
前記第２無線信号の伝送の間に前記第３無線信号のうち少なくとも１つをモニタすることを決定することであって、前記１つまたは複数の第３無線信号は、前記第３無線信号の前記候補のうち１つを用いて前記第３無線信号の前記選択された候補に関連する前記繰り返しレベルによって示される回数で繰り返し伝送される、決定することと、
前記第１無線信号、前記第２無線信号、および／または前記第３無線信号のうち少なくとも１つの基準に基づいて、前記１つまたは複数の第３無線信号が受信される場合がある前記ワイヤレスアクセスインターフェースの前記周波数リソースおよび前記時間リソースの既知のサブセットの間に早期終了インジケータをモニタすることであって、前記早期終了インジケータは、前記インフラストラクチャ装置から受信され、かつ前記インフラストラクチャ装置への前記第２無線信号の伝送が終了される必要があることを示す、モニタすることと、
前記受信した早期終了インジケータに基づいて、前記インフラストラクチャ装置への前記第２無線信号の伝送を終了することと、を含む、
方法。
【請求項２３】
インフラストラクチャ装置および通信デバイスを含むワイヤレス通信ネットワークを含むワイヤレス通信システム向けの回路であって、前記通信デバイスは、
前記インフラストラクチャ装置からの第１無線信号に対する第１サーチスペースをモニタし、前記第１サーチスペースは、繰り返しレベルセットの一部を形成する複数の繰り返しレベルのうちの関連する１つをそれぞれが有する前記第１無線信号の各候補を含み、前記関連する繰り返しレベルは、前記候補が伝送されてもよい繰り返し数を示し、前記第１無線信号は、前記通信デバイスによる前記インフラストラクチャ装置への第２無線信号の伝送に関するスケジューリング情報を含み、
前記第１サーチスペース内で前記第１無線信号を検出すると、前記第２無線信号を前記インフラストラクチャ装置へ伝送し、前記第２無線信号は、複数の連続する期間のそれぞれの間に所定の回数で繰り返し伝送され、
前記インフラストラクチャ装置からの１つまたは複数の第３無線信号に対する第２サーチスペースをモニタし、前記第２サーチスペースは、前記ワイヤレスアクセスインターフェースの既知の周波数リソースおよび既知の時間リソースの一部であり、かつ前記繰り返しレベルセットの関連する繰り返しレベルをそれぞれが有する前記第３無線信号の１つまたは複数の候補を含み、
前記第２無線信号の伝送の間に前記第３無線信号のうち少なくとも１つをモニタすることを決定し、前記１つまたは複数の第３無線信号は、前記第３無線信号の前記候補のうち１つを用いて、前記第３無線信号の前記選択された候補に関連する前記繰り返しレベルによって示される回数で繰り返し伝送され、
前記第１無線信号、前記第２無線信号、および／または前記第３無線信号のうち少なくとも１つの基準に基づいて、前記１つまたは複数の第３無線信号が受信される場合がある前記ワイヤレスアクセスインターフェースの前記周波数リソースおよび前記時間リソースの既知のサブセットの間に早期終了インジケータをモニタし、前記早期終了インジケータは、前記インフラストラクチャ装置から受信され、かつ前記インフラストラクチャ装置への前記第２無線信号の伝送が終了される必要があることを示し、および
前記受信した早期終了インジケータに基づいて、前記インフラストラクチャ装置への前記第２無線信号の伝送を終了するように構成される、
回路。
【発明の詳細な説明】
【技術分野】
【０００１】
本開示は、ワイヤレス通信システムの通信デバイスおよびインフラストラクチャ装置に関する。
【背景技術】
【０００２】
本明細書に記載されている「背景技術」の説明は、本開示の背景を全般的に示すためのものである。この背景技術の章において説明される仕事の範囲、および出願時には先行技術として認められていない本明細書の態様に対する本願発明者の仕事を、本発明に対する先行技術であるとは、明示的にも黙示的にも認めていない。
【０００３】
３ＧＰＰ定義のＵＭＴＳおよびロングタームエボリューション（Long  Term  Evolution：ＬＴＥ）アーキテクチャに基づく第３世代および第４世代モバイル電気通信システムは、モバイル電気通信システムの前世代によって提供された単純なボイスサービスおよびメッセージングサービスよりも、より高性能なサービスをサポートすることが可能である。例えば、ＬＴＥシステムによる無線インターフェースの改善およびデータ転送速度の向上に伴い、ユーザは、以前は固定回線データ接続を介してのみ可能であったモバイル動画ストリーミングおよびモバイル動画会議など、高データ速度アプリケーションを享受できるようになった。そのようなネットワークの展開が強く要求され、これらのネットワークのカバレッジエリア、すなわち、ネットワークへのアクセスが可能な地理的位置は、ますます急激に広がると予想される場合がある。
【０００４】
将来のワイヤレス通信ネットワークは、多様なデータトラフィックプロファイルおよびタイプに関連する多様なデバイスとの通信を、現在、サポートのために最適化されているシステムよりも、さらに日常的に、かつ効率的にサポートすることが期待されている。例えば、将来のワイヤレス通信ネットワークは、複雑さが低減されたデバイス、マシンタイプコミュニケーション（Machine  Type  Communication：ＭＴＣ）デバイス、高解像度ビデオディスプレイ、バーチャルリアリティヘッドセットなどを含むデバイスとの通信を、効率的にサポートすることが想定されることが予想される。これらのさまざまなタイプのデバイスの一部、例えば、「モノのインターネット」をサポートする低複雑度デバイスなどは、膨大な数で展開される可能性があり、通常、比較的遅延耐性が高く、比較的少量のデータの伝送に関連することがある。
【０００５】
例えば、高解像度動画ストリーミングをサポートするデバイスの他のタイプは、比較的遅延耐性が低く、比較的多量のデータの伝送に関連することがある。さらに、例えば、自律運転車通信に使用される他のタイプのデバイスは、データが低遅延・高信頼で、ネットワークを介して伝送される必要があることが特徴である場合がある。単一のデバイスタイプが、それ自体が実行しているアプリケーションによって決まる異なるデータトラフィックプロファイル／特徴と関連する場合もある。例えば、動画ストリーミングアプリケーション（高下りリンクデータ）の実行の場合と、インターネットブラウジングアプリケーション（散発的な上りリンクおよび下りリンクデータ）の実行の場合、または非常時シナリオの際の非常時応答機によるボイス通信への使用の場合とは、スマートフォンとのデータ交換を効率的にサポートするために、異なる考慮事項が適用される場合がある。
【０００６】
このことに鑑みて、例えば、５Ｇまたは新無線（New  Radio：ＮＲ）システム／新無線アクセス技術（Radio  Access  Technology：ＲＡＴ）システムと呼ばれることもある将来のワイヤレス通信ネットワーク、同様に、既存のシステムの将来的なイテレーション／リリースに対して、異なるアプリケーションおよび異なる特徴のデータトラフィックプロファイルに関連する多様なデバイスに対するコネクティビティを効率的にサポートすることが要望されることになると予想される。
【０００７】
これに関して、現在、注目されている分野の一例には、いわゆる「モノのインターネット」（または略してＩｏＴ）が挙げられる。３ＧＰＰは、ＬＴＥ／４Ｇワイヤレスアクセスインターフェースおよびワイヤレスインフラストラクチャを使用した狭帯域（Narrowband：ＮＢ）−ＩｏＴ、およびいわゆる拡張されたＭＴＣ（Enhanced  MTC：ｅＭＴＣ）動作をサポートする技術の展開に関して、３ＧＰＰ仕様書のリリース１３で提案している。近年、いわゆる、拡張されたＮＢ−ＩｏＴ（Enhanced  NB-IoT：ｅＮＢ−ＩｏＴ）、および、さらに拡張されたＭＴＣ（Further  Enhanced  MTC：ｆｅＭＴＣ）に関して３ＧＰＰ仕様書のリリース１４、および、いわゆる、さらに拡張されたＮＢ−ＩｏＴ（Further  Enhanced  NB-IoT：ｆｅＮＢ−ＩｏＴ）、また、いっそうさらに拡張されたＭＴＣ（Even  Further  Enhanced  MTC：ｅｆｅＭＴＣ）に関して３ＧＰＰ仕様書のリリース１５で、これらの着想に基づいた提案がされている。これらの技術を利用する少なくとも一部のデバイスは、比較的少ない帯域幅データの比較的まれな通信を必要とする低複雑度であり、かつ安価なデバイスであることが予想される。
【０００８】
異なるトラフィックプロファイルに関連する異なるタイプの通信デバイスの使用の増加により、特に、低電力デバイスに関して、しかしこれに限らず、ワイヤレス電気通信システムでの通信を効率的に取り扱うために、対処すべき新しい課題が生じる。
【発明の概要】
【発明が解決しようとする課題】
【０００９】
添付の特許請求の範囲に記載の通り、本発明は、上記の問題の少なくとも一部に対処する、またはそれを軽減することを助力することができる。
【課題を解決するための手段】
【００１０】
本発明の技術の実施形態は、インフラストラクチャ装置を含む、ワイヤレス通信ネットワークで使用される通信デバイスを提供することができる。通信デバイスは、ワイヤレス通信ネットワークによって提供されるワイヤレスアクセスインターフェースを介してインフラストラクチャ装置に信号を伝送するように構成された送信機回路、ワイヤレスアクセスインターフェースを介してインフラストラクチャ装置から信号を受信するように構成された受信機回路、および制御回路を備える。制御回路は、送信機回路および受信機回路を制御して、インフラストラクチャ装置からの第１無線信号に対する第１サーチスペースをモニタし、第１サーチスペースは、第１無線信号の候補を含み、各候補は、繰り返しレベルセットの一部を形成する複数の繰り返しレベルのうちの１つと関連し、関連する繰り返しレベルは、候補が伝送されてよい繰り返し数を示し、第１無線信号は、通信デバイスによるインフラストラクチャ装置への第２無線信号の伝送に関するスケジューリング情報を含み、第１サーチスペース内で第１無線信号を検出すると、第２無線信号をインフラストラクチャ装置へ伝送し、第２無線信号は、複数の連続する期間のそれぞれの間に所定の回数で繰り返し伝送され、インフラストラクチャ装置からの１つまたは複数の第３無線信号に対する第２サーチスペースをモニタし、第２サーチスペースは、ワイヤレスアクセスインターフェースの既知の周波数リソースおよび既知の時間リソースの一部であり、かつ繰り返しレベルセットの関連する繰り返しレベルをそれぞれが有する第３無線信号の１つまたは複数の候補を含み、第２無線信号の伝送の間に第３無線信号のうち少なくとも１つをモニタすることを決定し、１つまたは複数の第３無線信号は、第３無線信号の候補のうち１つを用いて第３無線信号の選択された候補に関連する繰り返しレベルによって示される回数で繰り返し伝送され、第１無線信号、第２無線信号、および／または第３無線信号のうち少なくとも１つの基準に基づいて、１つまたは複数の第３無線信号が受信される場合があるワイヤレスアクセスインターフェースの周波数リソースおよび時間リソースの既知のサブセットの間に早期終了インジケータをモニタし、早期終了インジケータは、インフラストラクチャ装置から受信され、かつインフラストラクチャ装置への第２無線信号の伝送が終了される必要があることを示し、および受信した早期終了インジケータに基づいて、インフラストラクチャ装置への第２無線信号の伝送を終了するように構成される。
【００１１】
インフラストラクチャ装置、ワイヤレス通信システム、ならびに、通信デバイス、インフラストラクチャ装置およびワイヤレス通信システムを操作する方法、また、通信デバイス、インフラストラクチャ装置およびワイヤレス通信システム向けの回路に関する本発明の技術の実施形態は、通信デバイスが上りリンク信号の繰り返される伝送を終了する必要があることを示す早期終了インジケータを見つけるように動作可能なサーチスペースの周期が、スケジューリングチャネル（ＭＰＤＣＣＨ）および／またはスケジュールされた上りリンク信号伝送に応じて変化する構成を提供することができる。したがって、本発明の技術の実施形態は、受信するインフラストラクチャ装置が、それが正常に受信されたと認知したときに、繰り返される上りリンク信号の伝送を終了することによって通信デバイスの電力節約を可能にする。
【００１２】
本開示の対応する態様および特性は、添付の特許請求の範囲で定義される。
【００１３】
前述の基本的な説明および以下の詳細な説明の両方は、本発明の技術の例示であり、本発明の技術を限定するものではないことを理解すべきである。記載の実施形態は、別の利点と共に、添付の図面を共に用いて、以下の詳細な説明を参照することによって最良に理解されるであろう。
【００１４】
図面の簡単な説明
以下の詳細な説明を添付図面と共に考慮し、参照することによって、本発明がより良く理解されるにつれて、本開示の完全な理解および多くのそれに付随する利点が容易に得られるであろう。ここで、同じ参照番号は、いくつかの図の全体を通して同一の部分、または相当する部分を示している。
【図面の簡単な説明】
【００１５】
【図１】本開示の特定の実施形態に従って動作するように構成される場合がある、ＬＴＥ型ワイヤレス電気通信システムのいくつかの態様を概略的に示す図である。
【図２】ＬＴＥ規格に従って動作するモバイル通信システムのワイヤレスアクセスインターフェースの下りリンク構造の略図である。
【図３】ＬＴＥ規格に従って動作するモバイル通信システムのワイヤレスアクセスインターフェースの上りリンクの略図である。
【図４】早期ＰＵＳＣＨ繰り返し終了の例を示す図である。
【図５】２リソースブロックサーチスペース内の、拡張された制御チャネルエレメント（Enhanced  Control  Channel  Element：ＥＣＣＥ）の例を示す図である。
【図６Ａ】異なる集約レベル（Aggregation  Level：ＡＬ）を有するサーチスペース内の候補の４つの例を示す図である。
【図６Ｂ】異なる集約レベルを有するサーチスペース内の候補の４つの例を示す図である。
【図６Ｃ】異なる集約レベルを有するサーチスペース内の候補の４つの例を示す図である。
【図６Ｄ】異なる集約レベルを有するサーチスペース内の候補の４つの例を示す図である。
【図７】サーチスペース内の候補が、複数の異なる繰り返しレベルのうち１つを、どのように有することができるかを示す図である。
【図８】仮定のサーチスペースの例を示す図である。
【図９】ＰＵＳＣＨ繰り返し周期よりも長いＭＰＤＣＣＨ伝送の周期の例を示す図である。
【図１０】動的ＭＰＤＣＣＨサーチスペースの例を示す図である。
【図１１】ＭＰＤＣＣＨサーチスペースの周期の例を示す図である。
【図１２】本発明の技術の実施形態に従うワイヤレス通信システムでの通信の部分概略図、部分メッセージフロー図である。
【図１３】本発明の技術の実施形態に従って、ＰＵＳＣＨ伝送が終了される必要があることを示す早期終了インジケータ（Early  Termination  Indicator：ＥＲＴ）の使用の第１例を示す図である。
【図１４】本発明の技術の実施形態に従って、ＰＵＳＣＨ伝送が終了される必要があることを示すＥＲＴの使用の第２例を示す図である。
【図１５】本発明の技術の実施形態に従って、ＰＵＳＣＨ伝送が終了される必要があることを示すＥＲＴの使用の第３例を示す図である。
【図１６】本発明の技術の実施形態に従って、ＭＰＤＣＣＨの伝送の後の残りのＭＰＤＣＣＨサーチスペースが、ＥＲＴに対するサーチスペースとして用いられる例示的構成の図である。
【図１７】本発明の技術の実施形態に従って、ＭＰＤＣＣＨの伝送の後の残りのＭＰＤＣＣＨサーチスペース、およびＰＵＳＣＨ繰り返しと重複する次のＭＰＤＣＣＨ伝送に対するＭＰＤＣＣＨサーチスペースが、ＥＲＴに対するサーチスペースとして用いられる例示的構成の図である。
【図１８】本発明の技術の実施形態に従って、図１７に示すものと類似するが、ＭＰＤＣＣＨ繰り返しのサブセットのみが、ＥＲＴに対するサーチスペースとして用いられる例示的構成の図である。
【図１９】本発明の技術の実施形態に従う通信システムでの通信のプロセスを示すフロー図である。
【発明を実施するための形態】
【００１６】
ロングタームエボリューション（ＬＴＥ）ワイヤレス通信システム
図１は、ＬＴＥ原理に従って動作し、かつ以下にさらに記載されるような本開示の実施形態を実装するように調整される場合がある、モバイル電気通信ネットワーク／システムのいくつかの基本的な機能を例示する略図を示す。図１の種々の要素、および動作のそれらの対応するモードは、周知のものであり、かつ３ＧＰＰ（ＲＴＭ）組織体によって管理されている関連規格で定義されており、また、例えば、Ｈｏｌｍａ  Ｈ．およびＴｏｓｋａｌａ  Ａなど、この主題に関する多くの書籍でも説明されている［１］。以下に具体的に述べられてはいない、電気通信ネットワークの動作可能態様が、任意の既知の技術に従って、例えば、関連規格に従って、実装される場合があることを理解されよう。
【００１７】
図１は、従来の構成に従って動作する、コアネットワーク１０２と接続されている基地局１０１を含むインフラストラクチャ装置をシステムが含む場合のモバイル電気通信システムの略図を示し、これは、通信技術の知識があれば理解されるであろう。インフラストラクチャ装置１０１は、例えば、基地局、ネットワーク要素、インフラストラクチャ機器、拡張されたＮｏｄｅＢ（Enhanced  Node  B：ｅＮｏｄｅＢ／ｅＮＢ）、一般的なＮｏｄｅＢ（General  Node  B：ｇＮｏｄｅＢ／ｇＮＢ）、または協調エンティティと呼ばれる場合があり、破線１０３によって表されるカバレッジエリアまたはセルの中の１つまたは複数の通信デバイスにワイヤレスアクセスインターフェースを提供する。１つまたは複数のモバイル通信デバイス１０４は、ワイヤレスアクセスインターフェースを使用して、データを意味する信号の伝送および受信を介してデータを通信することができる。
【００１８】
コアネットワーク１０２は、ネットワークエンティティによってサービスされる通信デバイスに対して、認証、モビリティ管理、課金などを提供する場合もある。図１のモバイル通信デバイスは、通信端末、ユーザ端末（User  Equipment：ＵＥ）、通信デバイス、端末デバイスなどとも呼ばれる場合があり、ネットワークエンティティを介して同じまたは異なるカバレッジエリアでサービスされる１つまたは他の通信デバイスと通信するように構成される。通信は、双方向通信リンクを通してワイヤレスアクセスインターフェースを使用して、データを意味する信号を伝送または受信することによって行われる場合がある。
【００１９】
通信システムは、任意の既知のプロトコルに従って動作する場合があり、例えば、いくつかの例では、システムは、３ＧＰＰロングタームエボリューション（ＬＴＥ）または５Ｇ／新無線（ＮＲ）規格に従って動作する場合がある。
【００２０】
図１に示すように、基地局１０１ａの１つは、ワイヤレスアクセスインターフェースを介して信号を１つまたは複数の通信デバイスまたはＵＥ１０４に伝送する送信部１１０、およびカバレッジエリア１０３内の１つまたは複数のＵＥから信号を受信する受信部１１２を含んで、より詳細に示されている。制御部１１４は、送信部１１０および受信部１１２を制御し、ワイヤレスアクセスインターフェースを介して信号を伝送および受信する。制御部１１４は、ワイヤレスアクセスインターフェースの通信リソースエレメントの割り当てを制御する機能を実行する場合があり、一部の例では、上りリンク（Uplink：ＵＬ）および下りリンク（Downlink：ＤＬ）の両方向けのワイヤレスアクセスインターフェースを介した伝送をスケジュールするスケジューラを含む場合がある。
【００２１】
この例では、インフラストラクチャ装置１０１ａは、ワイヤレス信号の伝送用の送信部１１０、ワイヤレス信号の受信用の受信部１１２、および、インフラストラクチャ装置１０１ａが本明細書に記載されるような本開示の実施形態に従って動作するように制御するように構成された制御部１１４を備える。制御部１１４は、以下にさらに説明するように本開示の実施形態に従った機能を提供するスケジューラなどの種々のサブユニットを備える場合がある。これらのサブユニットは、個別のハードウェア構成要素として、または適切に構成された制御部１１４の機能として実装される場合がある。したがって、制御部１１４は、ワイヤレス電気通信システム内の装置向けに、伝統的プログラミング／構成技術を使用して本明細書に記載される所望の機能を提供するように適切に構成／プログラムされたプロセッサを備える場合がある。送信部１１０、受信部１１２、制御部１１４は、説明を容易にするために個別の構成要素として図１に概略的に示されている。しかし、これらのユニットの機能は、種々の異なる方法で、例えば、単一の適切にプログラムされた汎用コンピュータ、または適切に構成された特定用途向け集積回路／回路部品を使用して提供することができることを理解されよう。インフラストラクチャ装置１０１ａは、概して、スケジューラなどの、その動作機能に関連する種々の別の構成要素を備えることを理解されよう。例えば、説明を簡単にするために図１には示されていないが、制御部１１４は、スケジューラを備える場合がある。すなわち、制御部１１４は、基地局にスケジューリング機能を提供する場合がある。
【００２２】
ＵＥ１０４ａの例が、ワイヤレスアクセスインターフェースの上りリンクで信号をｅＮｏｄｅＢ１０３に伝送する送信部１１６、およびワイヤレスアクセスインターフェースを介して下りリンクで基地局１０１によって伝送される信号を受信する受信部１１８を含んで、より詳細に示されている。ＵＥ１０４ａはまた、データを格納するソリッドステートメモリまたは類似の記憶媒体１２２も備える。送信部１１６、受信部１１８および記憶媒体１２２は制御部１２０によって制御される。本開示の実施形態では、ＵＥ１０４ａは、ｆｅＭＴＣ（さらに拡張されたマシンタイプコミュニケーション）またはｅＮＢ−ＩｏＴ（Enhanced  Narrowband  Internet  of  Things：拡張された狭帯域モノのインターネット）を使用して動作するように構成された通信デバイスである。制御部１２０は、さらに本明細書で説明されるように、本開示の実施形態に従った機能を提供する種々のサブユニットを備える場合がある。これらのサブユニットは、個別のハードウェア構成要素として、または適切に構成された制御部１２０の機能として実装される場合がある。したがって制御部１２０は、ワイヤレス電気通信システム内の装置向けに、伝統的プログラミング／構成技術を使用して本明細書に記載される所望の機能を提供するように適切に構成／プログラムされたプロセッサを備える場合がある。送信部１１６、受信部１１８、制御部１２０は、説明を容易にするために個別の構成要素として図１に概略的に示されている。しかし、これらのユニットの機能は、種々の異なる方法で、例えば、単一の適切にプログラムされた汎用コンピュータ、または適切に構成された特定用途向け集積回路／回路部品を使用して提供することができることを理解されよう。通信デバイス１０４ａは、概して、その動作機能に関連する種々の他の構成要素、例えば、簡潔さのために図１には示されていないが、電源、ユーザインターフェースなどを備えることを理解されよう。
【００２３】
３ＧＰＰ定義のロングタームエボリューション（ＬＴＥ）アーキテクチャに従って構成されたようなモバイル電気通信システムは、無線下りリンク（いわゆる、ＯＦＤＭＡ）向けの直交周波数分割変調（Orthogonal  Frequency  Division  Modulation：ＯＦＤＭ）ベースのワイヤレスアクセスインターフェース、および、無線上りリンクでの単一キャリア周波数分割多重アクセススキーム（Single  Carrier  Frequency  Division  Multiple  Access  Scheme：ＳＣ−ＦＤＭＡ）を使用する。ＬＴＥ規格に従ったワイヤレスアクセスインターフェースの下りリンクおよび上りリンクが、図２に示される。
【００２４】
図２は、通信システムがＬＴＥ規格に従って動作するときに、図１の基地局によって、またはそれと関連して提供される場合があるワイヤレスアクセスインターフェースの下りリンクの構造の簡略図を示す。ＬＴＥシステムでは、基地局からＵＥへの下りリンクのワイヤレスアクセスインターフェースは、直交周波数分割多重（ＯＦＤＭ）アクセス無線インターフェースに基づくものである。ＯＦＤＭインターフェースでは、利用可能な帯域幅のリソースは、周波数において複数の直交するサブキャリアに分割され、データは、複数の直交するサブキャリアで同時に伝送され、この際、１．４ＭＨｚから２０ＭＨｚまでの帯域幅は、直交するサブキャリアに分割される場合がある。これらのサブキャリアの全てが、データ伝送に使用されるというわけではない。サブキャリアの数は、７２個のサブキャリア（１．４ＭＨｚ）から１２００個のサブキャリア（２０ＭＨｚ）までの間で変動する。いくつかの実施例では、サブキャリアはグルーピングされて、スケジューリングブロックを形成する。リソースブロック（Resource  Block：ＲＢ）は、１２個のサブキャリアで構成される場合がある。ＭＴＣの狭帯域は、６個のＲＢまたは７２個のサブキャリアで構成される場合がある。各サブキャリア帯域幅は、任意の値とすることができるが、ＬＴＥでは１５ｋＨｚで固定されている。図２に示すように、ワイヤレスアクセスインターフェースのリソースはまた、時間経過順でフレームに分割されており、この際、フレーム２００は、１０ｍｓを有し、かつ、それぞれが１ｍｓの時間長である１０個のサブフレーム２０１に分割されている。各サブフレーム２０１は、１４個のＯＦＤＭシンボルで形成され、かつ、通常の、または拡張されたサイクリックプレフィックスが、シンボル間干渉を低減するためにＯＦＤＭシンボル間で利用されるかどうかに応じてそれぞれが６個または７個のＯＦＤＭシンボルを含む、スロット２２０、２２２の２つに分割される。スロットの中のリソースは、１スロットの間でそれぞれが１２個のサブキャリアを含むリソースブロック２０３に分割され、そのリソースブロックはさらに、１つのＯＦＤＭシンボルに対して１つのサブキャリアのスパンのリソースエレメント２０４に分割される。ここで、各矩形２０４はリソースエレメントを意味する。フレーム構造はまた、図２には示されていないが、プライマリ同期信号（Primary  Synchronisation  Signal：ＰＳＳ）およびセカンダリ同期信号（Secondary  Synchronisation  Signal：ＳＳＳ）も含む。ＰＳＳは、無線フレームのうち、最初のサブフレームの中の７番目のＯＦＤＭシンボル、および６番目のサブフレームの中の７番目のＯＦＤＭシンボルの、中心の６２個のサブキャリアを占める。ＳＳＳは、無線フレームのうち、最初のサブフレームの中の６番目のＯＦＤＭシンボルの中心の６２個のサブキャリア、および６番目のサブフレームの中の６番目のＯＦＤＭシンボルの中心の６２個のサブキャリアを占める。
【００２５】
図３は、図１の基地局によって、またそれと関連して提供される場合があるＬＴＥワイヤレスアクセスインターフェースの上りリンクの構造の簡略図を示す。ＬＴＥネットワークでは、上りリンクワイヤレスアクセスインターフェースは、単一キャリア周波数分割多重ＦＤＭ（Single  Carrier  Frequency  Division  Multiplexing  ：ＳＣ−ＦＤＭ）インターフェースに基づくものであり、下りリンクおよび上りリンクワイヤレスアクセスインターフェースは、周波数分割複信（Frequency  Division  Duplexing：ＦＤＤ）または時分割複信（Time  Division  Duplexing：ＴＤＤ）によって提供される場合があり、ここで、ＴＤＤ実装形態では、サブフレームは所定のパターンに従って、上りリンクサブフレームと下りリンクサブフレーム間で切り替わる。しかし、使用される複信の形式に関係なく、共通の上りリンクフレーム構造が利用される。図３の簡略化した構造は、ＦＤＤ実装形態でのかかる上りリンクフレームを示す。フレーム３００は、１ｍｓ時間長の１０個のサブフレーム３０１に分割され、この際、各サブフレーム３０１は、０．５ｍｓ時間長の２個のスロット３０２を含む。次に、各スロットは、７個のＯＦＤＭシンボル３０３で形成され、ここで、サイクリックプレフィックス３０４が、各シンボルの間に、下りリンクサブフレームでのそれと同等なように挿入される。
【００２６】
端末が、基地局によって提供されるセルを使用できるようになる前に、端末は、一連のステップを実行することが予想される。例えば、端末は、長いＤＲＸ期間の後、または切り替わった直後に、同期がまだ達成されていないといった状況になる場合がある。端末は、プライマリ同期信号（ＰＳＳ）およびセカンダリ同期信号（ＳＳＳ）を使用してセルおよびセルＩＤを検出し、次いで、物理報知チャネル（Physical  Broadcast  Channel：ＰＢＣＨ）からのシステム情報（ＭＩＢ）、およびＰＤＳＣＨからの別のシステム情報を受信することが予想される。より詳細には、端末は、典型的には、基地局から送られた従来のＰＳＳおよびＳＳＳを使用して、セルとの時間および周波数同期をまずは達成する必要がある。次に、端末は、ＰＢＣＨを復号して、ＭＩＢを取得する。ＭＩＢは、とりわけ、別のシステム情報、すなわち、ＰＤＳＣＨを介して伝送されるＳＩＢ１−ＢＲを取得する端末向けの情報を含んでいる。ＳＩＢ１−ＢＲは、残りのシステム情報部分（別のＳＩＢ）の取得に関するスケジューリング情報を含む。
【００２７】
前述したように、将来のワイヤレス通信ネットワークは、複雑さが低減されたデバイス、またはマシンタイプコミュニケーション（ＭＴＣ）デバイスを含むデバイスとの通信を、効率的にサポートすることが想定されることになり、「モノのインターネット」をサポートするために展開され、通常、比較的遅延耐性が高く、比較的少量のデータの伝送に関連する可能性があることが予想される。
【００２８】
ＰＵＳＣＨ繰り返しおよび早期終了
３ＧＰＰは、モノのインターネット（Internet  of  Things：ＩｏＴ）、すなわちｆｅＭＴＣ（さらに拡張されたマシンタイプコミュニケーション）［２］、およびｅＮＢ−ＩｏＴ（拡張された狭帯域モノのインターネット）［３］に関する、２つのリリース１４作業項目を完了させた。ＩｏＴは、２つの追加のリリース１５作業項目、すなわちｅｆｅＭＴＣ（いっそうさらに拡張されたマシンタイプコミュニケーション）［４］およびｆｅＮＢ−ＩｏＴ（さらに拡張された狭帯域モノのインターネット）［５］を導入することによって３ＧＰＰにおいてさらに拡張される。
【００２９】
リリース１３およびリリース１４ＭＴＣでは、ｅＮｏｄｅＢは、明確なＨＡＲＱ肯定応答をＵＥの上りリンク物理上りリンク共有チャネル（Physical  Uplink  Shared  Channel：ＰＵＳＣＨ）伝送に対して提供していない。代わりに、ＵＥは、ｅＮｏｄｅＢが同じＨＡＲＱプロセスの間に新しいＰＵＳＣＨ伝送に対して（下りリンク制御情報（Downlink  Control  Information：ＤＣＩ）を介して）上りリンクグラントを送信したときに、ＰＵＳＣＨパケットが正常に受信されると仮定する。上りリンクグラントがないときに、ＵＥがこのタイマの満了に応じてＰＵＳＣＨパケットが正常に受信されると仮定するように、ＵＥにおいてＰＵＳＣＨが伝送されるとタイマが開始される。リリース１５では、ＰＵＳＣＨ伝送向けの明確なハイブリッド自動再送要求（Hybrid  Automatic  Repeat  Request：ＨＡＲＱ）肯定応答（Hybrid  Automatic  Repeat  Request  Acknowledgement：ＨＡＲＱ−ＡＣＫ）が、導入されている。この明確な上りリンク（ＰＵＳＣＨ）ＨＡＲＱ−ＡＣＫは、以下の２つの利点をもたらす。
・無線リソース制御（Radio  Resource  Control：ＲＲＣ）接続リリースメッセージが、ｅＮｏｄｅＢからＵＥに伝送されるときに、ＵＥは、１．２５秒後、または、ＲＲＣ接続リリースメッセージの受信を確認するＰＵＳＣＨが肯定応答されたことを下位層がＵＥ  ＲＲＣ層に知らせるときのどちらか、先に起こったほうで、接続リリースを実行して、アイドルモードに遷移する［６］。それゆえ、このＰＵＳＣＨ確認の明確なＵＬ  ＨＡＲＱ−ＡＣＫにより、ＵＥが、この接続リリースを素早く実行して、アイドルモードなどの低電力消費モードへ遷移することが可能になる。
・カバレッジ拡張では、ＰＵＳＣＨは、ＵＥとｅＮｏｄｅＢとの間の大きなパス損失を解決するために非常に多くの回数で繰り返される。ＰＵＳＣＨ繰り返しの数は、最高２０４８回であり、これは、著しい量のエネルギーを消費することになる。ｅＮｏｄｅＢは、全てのＰＵＳＣＨ繰り返しが完了する前にＰＵＳＣＨトランスポートブロックを正常に受信する場合がある。例えば、図４では、ＲＰＵＳＣＨ繰り返しのＰＵＳＣＨ伝送が、時間ｔ０で始まり、時間ｔ３で伝送が完了することが予想される。しかし、ｅＮｏｄｅＢは、時間ｔ１で、このＰＵＳＣＨを正常に受信しているので、残りのＰＵＳＣＨ伝送は過剰であり、ＵＥのバッテリ電力を浪費するものである。このことを認識し、３ＧＰＰは、ＰＵＳＣＨ繰り返しを早期終了するために、明確なＵＬ  ＨＡＲＱ−ＡＣＫが伝送される場合があることに同意した。すなわち、ＰＵＳＣＨを受信するとすぐ、ｅＮｏｄｅＢが明確なＵＬ  ＨＡＲＱ−ＡＣＫをＵＥに時間ｔ２で伝送して、ＵＥにＰＵＳＣＨ伝送を終了することを伝えることで、ＵＥ電力消費を抑えることができる。
【００３０】
ＭＰＤＣＣＨサーチスペース
ｅＭＴＣでは、ＤＣＩは、ＭＰＤＣＣＨによって運ばれ、これは、ＭＰＤＣＣＨサーチスペース内で伝送されるものである。サーチスペースは、ネットワークによって構成される時間と周波数リソースのセットであり、ここで、このサーチスペースは、複数のＭＰＤＣＣＨ候補を含む。ｅＮｏｄｅＢは、（ブロードキャスト、複数のＵＥに対処するＤＣＩのために）１つまたは複数のＵＥに伝送されるＤＣＩ（下りリンク制御情報）を運ぶために、これらのＭＰＤＣＣＨ候補のうち１つを選択する。ｅＮｏｄｅＢが伝送するＭＰＤＣＣＨを有していない場合、いずれのＭＰＤＣＣＨ候補も用いられない。ｅＮｏｄｅＢによって伝送されるものがない場合であっても、ＵＥは、潜在的なＭＰＤＣＣＨ伝送を検出するために全てのＭＰＤＣＣＨ候補をブラインド復号しなければならない。サーチスペースを用いることにより、ｅＮｏｄｅＢは、ＭＰＤＣＣＨ伝送をスケジュールするために柔軟性を有する。例えば、ｅＮｏｄｅＢは、セルエッジにあるＵＥ向けにロバストなＭＰＤＣＣＨ伝送を提供するためにはより多いリソース、およびセルに近いＵＥ向けには少ないリソースを使用する場合がある。
【００３１】
ＭＰＤＣＣＨ候補は、サーチスペース内のリソースのサブセットを占め、以下によって定義することができる。
・集約レベル（ＡＬ）。使用される周波数リソースの数。
・繰り返しレベル（Repetition  Level：ＲＬ）。使用される時間リソースの数。例えば、繰り返しレベル１には８回のＭＰＤＣＣＨ繰り返しが割り当てられ、繰り返しレベル２には１６回のＭＰＤＣＣＨ繰り返しが割り当てられるなど、繰り返しレベルは、特定の繰り返し数に割り当てられる。この割り当ては、ＲＲＣによって設定される。
・周波数位置。ＭＰＤＣＣＨ候補の周波数の正確な位置および（４）時間位置。ＭＰＤＣＣＨ候補の開始時間および終了時間。
【００３２】
拡張された制御チャネルエレメント（ＥＣＣＥ）は、ＭＰＤＣＣＨが占めることができる周波数リソース粒度である。リソースブロック（ＲＢ）（１２サブキャリア×１サブフレーム）は、４個のＥＣＣＥから構成されるので、６個のＰＲＢのｅＭＴＣ狭帯域には、最大２４個のＥＣＣＥがあることになる。ＭＰＤＣＣＨ候補の集約レベルは、それが使用するＥＣＣＥの数である。図５は、２個のＲＢまたは８個のＥＣＣＥを消費する論理ドメイン内のＭＰＤＣＣＨサーチスペースを示す。ここでは、繰り返しレベルの態様は無視するか、１繰り返しレベル＝１サブフレームのみを想定する。
【００３３】
図５の２個のＲＢのサーチスペースでは、候補は、異なるＡＬおよび開始位置によって（論理的周波数ドメインで）定義することができる。図６に一例を示す。図６Ａでは８×ＡＬ＝１の候補、図６Ｂでは４×ＡＬ＝２の候補、図６Ｃでは２×ＡＬ＝４の候補、図６Ｄでは１×ＡＬ＝８の候補の、合計１５個のＭＰＤＣＣＨ候補（８＋４＋２＋１）があり、このサーチスペースをモニタするＵＥは、これらをブラインド復号する必要がある。ＡＬ＝１でＭＰＤＣＣＨを用いて、例えば、候補Ｃ１（１）を用いて、ｅＮＢがＤＣＩを伝送する場合、ＡＬ＝１の残りの７個の候補を用いて、別の７個のＤＣＩを、または候補Ｃ２（１）、Ｃ２（２）、Ｃ３（２）およびＣ４（２）を用いて、４つのＤＣＩを（他のＵＥに）伝送することができることが確認できる。ｅＮＢは、複数のＤＣＩを伝送するために同じリソースを使用することができない。例えば、ＡＬ＝４の候補Ｃ１（４）が用いられる場合、これらのリソースが、Ｃ１（４）（すなわち、ＥＣＣＥ１、ＥＣＣＥ２、ＥＣＣＥ３およびＥＣＣＥ４）によって使用されるものと完全にまたは部分的に重複するので、ｅＮＢは、候補Ｃ１（１）、Ｃ２（１）、Ｃ３（１）、Ｃ４（１）、Ｃ１（２）、Ｃ２（２）およびＣ１（８）をもはや用いることができない。他のサーチスペースサイズ、例えば４個のＲＢまたは８個のＲＢは、異なる数の候補および異なるタイプの候補を有するという点に留意すべきである。サーチスペースの候補は、ＲＲＣによって設定される。
【００３４】
記載されているように、ＭＰＤＣＣＨサーチスペースの別のディメンションは、繰り返しレベルである。ＭＰＤＣＣＨサーチスペースで定義される、最大４つの繰り返しレベル（ＲＬ）がある。この概念を説明するために、ＡＬ構成部分をまず無視する。すなわち、全ての候補は同じＡＬ＝１を有すると仮定すると、集約レベルＡおよび繰り返しレベルＲのｋ番目の候補は、Ｃｋ（Ａ、Ｒ）と、表される。図７は、時間ドメインのＭＰＤＣＣＨサーチスペースを示す。繰り返しレベルは、繰り返し数と同じではないという点に留意すべきである。ここで、繰り返しレベル１は繰り返し数Ｒ１を有し、繰り返しレベル２は繰り返し数Ｒ２を有し、繰り返しレベル３は繰り返し数Ｒ4を有し、かつ、繰り返しレベル４は繰り返し数Ｒ８を有する。通常は、繰り返し数は、ＲＬが１段階あがると、２倍になる。実際の繰り返し数は、例えば｛Ｒ１＝８、Ｒ２＝１６、Ｒ３＝３２、Ｒ４＝６４｝、または｛Ｒ１＝３２、Ｒ２＝６４、Ｒ３＝１２８、Ｒ４＝２５６｝あるいは明細書で定義される他の繰り返しで、ＲＲＣによって設定される。このサーチスペースでは、Ｒ１繰り返しを伴う８×ＲＬ＝１候補、Ｒ２繰り返しを伴う４×ＲＬ＝２候補、Ｒ４繰り返しを伴う２×ＲＬ＝３候補、Ｒ８繰り返しを伴う１×ＲＬ＝４候補がある。ＡＬのケースと同様に、ｅＮｏｄｅＢは、リソースが重複する場合、２つの候補を伝送することができない。すなわち、ｅＮｏｄｅＢが候補Ｃ２（１，３）を用いてＤＣＩを伝送する場合、候補Ｃ５（１，１）、Ｃ６（１，１）、Ｃ７（１，１）、Ｃ８（１，１）、Ｃ３（１，２）、Ｃ４（１，２）およびＣ１（１，４）を用いることができない。他の候補は、他のＵＥへの他のＤＣＩを伝送するために用いることができる。
【００３５】
ＭＰＤＣＣＨサーチスペースのＡＬおよびＲＬ構成部分を示すために、仮定の（というよりは簡略化された）、周波数リソースｆ１からｆ２まで、および時間リソースｔ１からｔ２を占めるサーチスペースを図８に示す。サーチスペース内に、ＲＬ＝１で、１０の候補｛Ｃ１（１，１）、Ｃ２（１，１）、Ｃ３（１，１）、Ｃ４（１，１）、Ｃ５（２，１）、Ｃ６（１，１）、Ｃ７（１，１）、Ｃ８（１，１）、Ｃ９（１，１）、Ｃ１０（１，１）｝、およびＲＬ＝２で５つの候補｛Ｃ１（１，２）、Ｃ２（１，２）、Ｃ３（１，２）、Ｃ４（２，２）、Ｃ５（１，２）｝の合計１５個のＭＰＤＣＣＨ候補がある。１３個の候補がＡＬ＝１であるのに対して、２個の候補は、ＡＬ＝２の｛Ｃ５（２，１）、Ｃ４（２，２）｝である。ＡＬ＝１の５個の候補は、周波数リソースｆ２｛Ｃ１（１，１）、Ｃ２（１，１）、Ｃ７（１，１）、Ｃ８（１，１）、Ｃ２（１，２）｝を占める。同様に、候補がＤＣＩの伝送に用いられる場合、それが占めるリソース（時間および周波数）は、伝送によってリソースが重複する他の候補をブロックする。例えば、Ｃ５（２，１）が伝送される場合、候補Ｃ２（１，２）およびＣ３（１，２）をブロックすることになる。このサーチスペース構成は、単に仮定であり、３ＧＰＰ仕様では存在しないという点に留意すべきである。
【００３６】
周波数および時間のディメンションを伴うサーチスペースは、異なるＡＬ、ＲＬ、周波数位置および時間位置を伴う候補の異なる組み合わせを含む場合があることが確認できる。周波数リソースの所定の数に対して可能な（限られた）候補のセットは、３ＧＰＰ仕様で定義されている。
【００３７】
明確なＵＬ  ＨＡＲＱ−ＡＣＫ伝送
３ＧＰＰにおいて、この明確なＵＬ  ＨＡＲＱ−ＡＣＫが、ＴＤＤおよび全複信ＦＤＤ（Full  Duplex  FDD：ＦＤ−ＦＤＤ）で、ＭＰＤＣＣＨを用いて伝送されるＤＣＩによって運ばれることが同意されている。サーチスペースは、ＭＰＤＣＣＨをモニタするために構成され、その中でＵＥは、可能なＭＰＤＣＣＨ伝送を周期的にブラインド復号する。しかし、ＭＰＤＣＣＨサーチスペースの周期は、明確なＵＬ  ＨＡＲＱ−ＡＣＫの伝送に適していない場合がある。図９に一例を示す。この場合、ＵＥ固有ＭＰＤＣＣＨサーチスペース（Search  Space：ＳＳ）が、時間ｔ０で始まり、次のＭＰＤＣＣＨ  ＳＳが時間ｔ３から始まるような、ＰＭＰＤＣＣＨの周期を持つ。しかし、スケジュールされたＰＵＳＣＨは、ＭＰＣＣＨ周期ＰＭＰＤＣＣＨよりも短い繰り返しＲＰＵＳＣＨを有する（すなわち、ＲＰＵＳＣＨ＜ＰＭＰＤＣＣＨ）ので、ｅＮｏｄｅＢが早期ＰＵＳＣＨ終了（すなわち、明確なＵＬ  ＨＡＲＱ−ＡＣＫ）をＵＥに伝送する機会がない。
【００３８】
図９に記載されている問題を認識し、参考文献［７］では、スケジュールされたＰＵＳＣＨ繰り返しに応じて変化する周期を有する新しいＭＰＤＣＣＨ  ＳＳを導入することが提案されている。すなわち、動的ＭＰＤＣＣＨ  ＳＳが、最初のＭＰＤＣＣＨ  ＳＳの後に、より短い周期で、例えば、ＰＤｙｎａｍｉｃで構成される。図１０に一例を示す。この場合、時間ｔ０で、ＭＰＤＣＣＨによって運ばれるＤＣＩはＰＵＳＣＨをスケジュールし、ＵＥは、時間ｔ２で、新しい動的ＭＰＤＣＣＨ  ＳＳをモニタする。この動的ＭＰＤＣＣＨ  ＳＳの位置は、スケジュールされたＰＵＳＣＨに応じて変化すること（例えば、ＰＤｙｎａｍｉｃ＝ＲＰＵＳＣＨ／２）が提案されている。さらに、ＵＥがこの動的ＭＰＤＣＣＨ  ＳＳをモニタする必要があるかどうかを、ＰＵＳＣＨをスケジュールするＤＣＩで示すことが提案されている。
【００３９】
ＭＰＤＣＣＨによって運ばれるＤＣＩは、通常、ＰＵＳＣＨよりも小さいペイロードを有し、上りリンクと比べるとｅＮｏｄｅＢからの伝送電力は大きいことから、下りリンクは、有利であるということが理解されるべきである。それゆえ、ＭＰＤＣＣＨ繰り返しは、ＰＵＳＣＨのそれよりも非常に少ないものである可能性がある。例えば、最大ＭＰＤＣＣＨ繰り返しＲＭＡＸは２５６であり、一方、ＰＵＳＣＨのそれは２０４８である。ＭＰＤＣＣＨ  ＳＳの周期は、最大に構成されたＭＰＤＣＣＨ繰り返しＲＭＡＸに比例する。すなわち、図１１に示すように、ＰＭＰＤＣＣＨ＝ＲＭＡＸ＋ＯＭＰＤＣＣＨであり、式中、ＯＭＰＤＣＣＨは、オフセット｛１，１．５，２，２．５，４，５，８，１０｝サブフレームである。ここで、ＭＰＤＣＣＨ  ＳＳは、４つの異なる繰り返し｛Ｒ１，Ｒ２，Ｒ３，ＲＭＡＸ｝を有する場合がある複数のＭＰＤＣＣＨ候補で構成され、この例では、ＭＰＤＣＣＨ  ＳＳは時間ｔ０で始まり、ＰＭＰＤＣＣＨの周期で、周期的にモニタされる。ＭＰＤＣＣＨ周期ＰＭＰＤＣＣＨは、ＭＰＤＣＣＨ繰り返しに応じて変化し、そのＰＵＳＣＨ繰り返しは、通常、ＭＰＤＣＣＨのそれよりも非常に多いものであるので、それにより、ｅＮｏｄｅＢに明確なＵＬ  ＨＡＲＱ−ＡＣＫを伝送する機会を与える別のＭＰＤＣＣＨ  ＳＳと、ＰＵＳＣＨが重複する可能性が高くなる。
【００４０】
参考文献［７］で挙げられている問題がある可能性が低い場合もあるが、早期ＰＵＳＣＨ繰り返し終了が効率的に機能するために解決する必要がある別の態様がある。
【００４１】
早期ＰＵＳＣＨ繰り返し終了サーチスペース
図１２は、本発明の技術の実施形態に従う通信システム１２００を表す部分概略図、部分メッセージフロー図を示す。通信システム１２００は、インフラストラクチャ装置１０１および通信デバイス１０４を含むワイヤレス通信ネットワークを含む。インフラストラクチャ装置１０１および通信デバイス１０４のそれぞれは、送信部（または送信機回路）１２０２、１２１２、受信部（または受信機回路）１２０４、１２１４、および制御部（または制御回路）１２０６、１２１６を備える。制御部１２０６、１２１６のそれぞれは、例えば、マイクロプロセッサ、ＣＰＵ、または専用チップセットなどであってもよい。本発明の技術の構成では、例えば、通信デバイス１０４が、データを受信するだけの低電力ウェアラブルデバイスであるシナリオの場合、通信デバイス１０４は、送信部１２１２または伝送機能を常に備えていなくてもよいことを当業者であれば理解されるであろう。
【００４２】
以下で説明するように、本発明の技術の実施形態は、ワイヤレス通信ネットワークのインフラストラクチャ装置１０１内の送信部（または送信機回路）１２０２、受信部（または受信機回路）１２０４、および制御部１２０６が組み合わせて構成されて、インフラストラクチャ装置１０１と通信デバイス１０４との間の通信のためにワイヤレスアクセスインターフェースを提供する構成を提供することができる。通信デバイス１０４の制御回路１２１６は、送信機回路１２１２および受信機回路１２１４を制御して、インフラストラクチャ装置１０１からの第１無線信号１２２０に対する第１サーチスペースをモニタし１２２０、第１サーチスペースは、繰り返しレベルセットの一部を形成する複数の繰り返しレベルのうち関連する１つをそれぞれが有する第１無線信号１２２０の各候補を含み、関連する繰り返しレベルセットは、候補が伝送されてもよい繰り返し数を示し、第１無線信号１２２０は、通信デバイス１０４によるインフラストラクチャ装置１０１への第２無線信号の伝送に関するスケジューリング情報を含み、第１サーチスペース内で第１無線信号１２２０を検出すると、第２無線信号をインフラストラクチャ装置１０１へ伝送し１２２１、第２無線信号１２２１は、複数の連続する期間のそれぞれの間に所定の回数で繰り返し伝送され１２３１、インフラストラクチャ装置１０１からの１つまたは複数の第３無線信号に対する第２サーチスペースをモニタし１２２２、第２サーチスペースは、ワイヤレスアクセスインターフェースの既知の周波数リソースおよび既知の時間リソースの一部であり、かつ繰り返しレベルセットの関連する繰り返しレベルをそれぞれが有する第３無線信号１２２２の１つまたは複数の候補を含み、第２無線信号１２２１の伝送（すなわち、重複する）の間に第３無線信号１２２２のうち少なくとも１つをモニタすることを決定し、１つまたは複数の第３無線信号１２２２は、第３無線信号の候補のうち１つを用いて、第３無線信号の選択された候補に関連する繰り返しレベルによって示される回数で繰り返し伝送され１２３２、第１無線信号１２２０、第２無線信号１２２１、および／または第３無線信号１２２２のスケジューリングメッセージ（ＤＣＩ／ＭＰＤＣＣＨ）のうち少なくとも１つの基準に基づいて、１つまたは複数の第３無線信号１２２２が受信される場合があるワイヤレスアクセスインターフェースの周波数リソースおよび時間リソースの既知のサブセット内に含まれる早期終了インジケータ１２２６をモニタし１２２４、早期終了インジケータは、インフラストラクチャ装置１０１から受信され１２２６、かつインフラストラクチャ装置１０１への第２無線信号１２２１の伝送が終了される必要があることを示し、および受信した早期終了インジケータ１２２６に基づいて、インフラストラクチャ装置１０１への第２無線信号１２２１の伝送を終了する１２２８ように構成される。
【００４３】
本発明の技術の実施形態は、既知の時間／周波数位置での早期上りリンク（ＰＵＳＣＨ）繰り返し終了（Early  uplink  Repetitions  Termination：ＥＲＴ）インジケータのモニタリングが、ＭＰＤＣＣＨ繰り返しに応じて変化する基準に従うことを提案する。上記の既知のＥＲＴ位置は、本開示ではＥＲＴサーチスペース（ERT  Search  Space：ＥＳＳ）と称される。ＵＥは、ＥＲＴオペレーション向けに構成されている場合、ＥＳＳをモニタする。ｅｆｅＭＴＣでは、ＥＲＴはＭＰＤＣＣＨを用いて伝送されるＤＣＩによって運ばれるが、本発明の技術の実施形態は、他のタイプのＰＤＣＣＨ、例えば、ＮＰＤＣＣＨ（狭帯域ＰＤＣＣＨ）、ＥＰＤＣＣＨおよびＰＤＣＣＨによって運ばれるＥＲＴにも適用できる。
【００４４】
構成の一例では、上記機能は、ＭＰＤＣＣＨ繰り返しのＮ倍である。すなわち、上記基準は、ＰＵＳＣＨ繰り返しが、ＭＰＤＣＣＨ繰り返しのＮ倍よりも多い場合、ＥＳＳがモニタされることである。言い換えれば、早期終了インジケータがモニタされる基準は、第２無線信号が繰り返し伝送される間の時間が、繰り返しレベルセットのうち最大の繰り返しレベルを用いて特定数の第３無線信号または第１無線信号が繰り返し伝送されるのに必要な時間よりも長いかどうかである。
【００４５】
値Ｎは、仕様書で指定されるか、ＲＲＣによって設定されるか、ＤＣＩで示される。この構成では、ＰＵＳＣＨ繰り返しがＭＰＤＣＣＨ繰り返しの２倍である場合、ＥＲＴが到着するときにＰＵＳＣＨ繰り返しが終了しているので、ＥＲＴを伝送する意味がないことが分かる。例えば、図１３では、時間ｔ０で繰り返しＲＭＡＸでＭＰＤＣＣＨで運ばれるＤＣＩは、繰り返しＲＰＵＳＣＨのＰＵＳＣＨをスケジュールする（この場合、ＲＰＵＳＣＨ＝２×ＲＭＡＸ）。ＭＰＤＣＣＨ  ＳＳの周期、ＰＭＰＤＣＣＨは、オフセットＯＭＰＤＣＣＨ＝４サブフレームを有するので、ＰＵＳＣＨおよび次のＭＰＤＣＣＨ  ＳＳは時間ｔ２で始まる。時間ｔ２では、ｅＮｏｄｅＢが、充分なＰＵＳＣＨ繰り返しサンプルを有していないので、ＥＲＴを伝送するのには早すぎる。ｅＮｏｄｅＢが時間ｔ３（またはｔ３より前の任意の時間）でＰＵＳＣＨを受信する場合、ＥＲＴを（ＲＭＡＸ繰り返しで）伝送することができる次の機会は、時間ｔ４である。しかし、時間ｔ６で、ｅＮｏｄｅＢがＥＲＴ伝送を完了するまでには、ＵＥはすでにＰＵＳＣＨ繰り返しを完了しており、これでは、ＥＲＴの到着が遅すぎて何の役にもたたない。したがって、ＰＵＳＣＨ伝送でのなんらかの意味のある節減のためには、Ｎは、少なくとも３である必要がある。
【００４６】
構成の別の例では、上記機能は、ＭＰＤＣＣＨ周期のＮ倍である。すなわち、ＥＲＴのモニタリングは、ＭＰＤＣＣＨ  ＳＳ周期ＰＭＰＤＣＣＨに応じて変化する（すなわち、ＲＰＵＳＣＨ＞Ｎ×ＰＭＰＤＣＣＨ）。言い換えると、第３無線信号の２つのサーチスペース間で、所定の時間長のオフセット期間が存在し、かつ早期終了インジケータがモニタされる基準は、第２無線信号が繰り返し伝送される間の時間が、特定数のオフセットピリオドの時間期間に加えて繰り返しレベルセットのうち最大の繰り返しレベルを用いて第３無線信号の特定の候補が伝送されるのに必要な時間よりも長いかどうかである。この構成は、図１３に見ることができるような、オフセットＯＭＰＤＣＣＨを考慮に入れる。
【００４７】
構成の別の例では、上記ＥＳＳ、すなわち、既知のＥＲＴ（時間／周波数）位置は、構成済みＵＥ固有ＭＰＤＣＣＨ  ＳＳ、すなわち、ＵＥが潜在的なＤＬおよびＵＬグラントをモニタするＵＥ固有ＭＰＤＣＣＨ  ＳＳである。言い換えると、第３無線信号に対する第２サーチスペースが位置しているワイヤレスアクセスインターフェースの周波数リソースおよび時間リソースの既知のサブセットは、第１無線信号の第１サーチスペースに使用される周波数リソースおよび時間リソースと同じである。
【００４８】
構成の別の例では、上記ＭＰＤＣＣＨ繰り返しは、スケジュールされたＭＰＤＣＣＨ繰り返しである。言い換えると、早期終了インジケータがモニタされる基準は、第２無線信号が繰り返し伝送される間の時間が、第１無線信号を繰り返し伝送するためにインフラストラクチャ装置によって選択された繰り返しレベルセットの繰り返しレベルを用いて特定数の第１無線信号が繰り返し伝送されるのに必要な時間よりも長いかどうかである。
【００４９】
｛Ｒ１，Ｒ２，Ｒ３，ＲＭＡＸ｝と図１１に示されているように、複数（すなわち、４つ）の異なる繰り返しを有する場合がある複数の候補で、ＭＰＤＣＣＨ  ＳＳが構成され、この際、ｅＮｏｄｅＢは、これらの繰り返しのうち１つを用いて、ＭＰＤＣＣＨを伝送することができ、ＵＥは伝送される候補に対してブラインド検出するという点に留意すべきである。上記の構成の基準の１つを用いて、スケジュールされたＰＵＳＣＨ繰り返しが、ＲＰＵＳＣＨ＞Ｎ×ＲＳの場合、ＵＥは、ＥＳＳをモニタする（この際、ＲＳ＝｛Ｒ１，Ｒ２，Ｒ３，ＲＭＡＸ｝が、伝送されるＭＰＤＣＣＨ繰り返しである）。例えば、図１４では、ＵＥは、ＰＭＰＤＣＣＨの周期で、ＵＥ固有ＳＳ（UE  Specific  SS：ＵＳＳ）をモニタするように構成されている。時間ｔ０で始まるＭＰＤＣＣＨ  ＳＳでは、ｅＮｏｄｅＢは、時間ｔ１で、Ｒ２繰り返しの候補を用いてＵＬグラントを含むＤＣＩを伝送する。ここで、上記基準は、Ｎ＝３となるように設定される。スケジュールされたＰＵＳＣＨが、繰り返しＲＰＵＳＣＨ＜３×ＲＭＡＸを有してはいるが、基準ＲＰＵＳＣＨ＞３×Ｒｓを満たしており、ここで、ＲＳ＝Ｒ２はスケジュールされたＭＰＤＣＣＨ（時間ｔ１での）なので、ＵＥはＥＳＳをモニタする。この例では、ＥＲＴは、時間ｔ４で、繰り返しＲ２のＭＰＤＣＣＨ候補を用いて伝送され、この際、ＵＥは、時間ｔ５でＭＰＤＣＣＨ伝送の最後にＥＲＴを受信する。次に、ＵＥは、図１４に、濃い灰色で破線と、陰影をつけて斜め模様で示されているように、時刻ｔ５以降の残りのＰＵＳＣＨ繰り返しを終了する。この構成では、ＵＬグラントに用いるために選択されたＭＰＤＣＣＨ繰り返しが、ＥＲＴの伝送向けにｅＮｏｄｅＢによって再度用いられる可能性があることが分かる。
【００５０】
構成の別の例では、上記ＭＰＤＣＣＨ繰り返しは、スケジュールされたＭＰＤＣＣＨＲＳに、オフセットＫを加えたもの（すなわち、ＲＳ＋Ｋ）であり、ここで、Ｓは、スケジュールされた繰り返しレベル｛１，２，３，ＭＡＸ｝である。すなわち、スケジュールされたＰＵＳＣＨ繰り返しが、ＲＰＵＳＣＨ＞Ｎ×ＲＳ＋Ｋの場合、ＵＥは、ＥＳＳをモニタし、この際、Ｋは、仕様書で指定されるか、ＲＲＣによって設定されるか、（ＵＬグラントで）ＰＵＳＣＨをスケジューリングするＤＣＩで示される。言い換えると、第１無線信号を繰り返し伝送するためにインフラストラクチャ装置によって選択された繰り返しレベルセットの繰り返しレベルは、所定量でオフセットされ、早期終了インジケータがモニタされる基準は、第２無線信号が繰り返し伝送される間の時間が、オフセット繰り返しレベルを用いて特定数の第１無線信号が繰り返し伝送されるのに必要な時間よりも長いかどうかである。
【００５１】
この構成の例を、図１５に示す。この場合、周期ＰＭＰＤＣＣＨのＵＳＳが、ＵＥ向けに構成されている。時間ｔ０でのＵＳＳ（すなわち、ＵＥ固有ＭＰＤＣＣＨ  ＳＳ）では、ｅＮｏｄｅＢは、時間ｔ１で、繰り返しＲ１でＭＰＤＣＣＨを用いてＵＬグラントを運ぶＤＣＩを伝送し、このＤＣＩは、繰り返しＲＰＵＳＣＨのＰＵＳＣＨをスケジュールするものである。この際、Ｎ＝３およびＫ＝１である。スケジュールされた繰り返しレベルＳ＝１であるので、基準で必要とされる繰り返しは、この例では、ＲＳ＋Ｋ＝Ｒ２である（すなわち、ＲＰＵＳＣＨ＞３×Ｒ２の場合（これは、この例では満たされている）、ＥＳＳは、モニタされる）。ＵＥは、時間ｔ２でＰＵＳＣＨを伝送して、ＵＥは、ｔ４の前にＰＵＳＣＨを正常に受信し、その際、それは、時間ｔ４で、繰り返しＲ２でＥＳＳ内のＭＰＤＣＣＨ候補を用いてＥＲＴを伝送する。次に、ＵＥは、ＥＲＴを受信した後に、時間ｔ５でＰＵＳＣＨ繰り返しを終了する。この構成では、ｅＮｏｄｅＢは、ＰＵＳＣＨをスケジュールするＵＬグラントに用いられるものに近い、ＥＲＴ用のＭＰＤＣＣＨ繰り返しを用いる可能性があることが分かる。
【００５２】
構成の別の例では、ＥＳＳは、ＰＵＳＣＨをスケジュールするサーチスペース内で、残りのＭＰＤＣＣＨ候補を含む。すなわち、残りのＭＰＤＣＣＨ候補は、ＭＰＤＣＣＨサーチスペース内の候補であり、上りリンクグラントのために用いられるＭＰＤＣＣＨ候補によってブロックされないものである。言い換えると、第１無線信号の伝送に用いられる候補と、同じワイヤレスアクセスインターフェースの周波数リソースおよび時間リソースを共有する、第１サーチスペースの１つまたは複数の第１無線信号候補は、使用がブロックされ、１つまたは複数の第３無線信号がモニタされる場合があるワイヤレスアクセスインターフェースの周波数リソースおよび時間リソースの既知のサブセットは、使用がブロックされない第１サーチスペースの第１無線信号候補を含む周波数リソースおよび時間リソースを含む。
【００５３】
図１４および図１５で説明される構成は、潜在的なＥＲＴ伝送のためにＰＵＳＣＨをスケジュールするＵＳＳ（ＭＰＤＣＣＨ  ＳＳ）の残りのＭＰＤＣＣＨ候補を、ＵＥがモニタすることが必要であることを理解されるはずである。図１６に一例を示す。この場合、繰り返しＲ１のＭＰＤＣＣＨは、時間ｔ１で、ＵＥに伝送され、ＰＵＳＣＨをスケジュールする。ＰＵＳＣＨは時間ｔ２で伝送される。上記残りのＭＰＤＣＣＨ  ＳＳは、ＰＵＳＣＨ伝送と完全に重複するブロックされない候補を含む。この例では、これらは、時間ｔ３で始まり、時間ｔ５で終わるＭＰＤＣＣＨ候補を含む。ＵＥはまた、時間ｔ６で、ＭＰＤＣＣＨ  ＳＳをモニタする（すなわち、ＥＳＳは次のＵＳＳ（またはＵＥ固有ＭＰＤＣＣＨ  ＳＳ）の一部を含む）という点に留意すべきである。
【００５４】
構成の別の例では、上記ＥＳＳは、残りのＭＰＤＣＣＨ  ＳＳのＭＰＤＣＣＨ候補と、開始オフセットＴＳＴＡＲＴと終了オフセットＴＥＮＤとを伴うＰＵＳＣＨ伝送と完全に重複する次のＭＰＤＣＣＨ  ＳＳのＭＰＤＣＣＨ候補とで構成される。言い換えると、１つまたは複数の第３無線信号がモニタされる場合があるワイヤレスアクセスインターフェースの周波数リソースおよび時間リソースの既知のサブセットは、１つまたは複数の次の第１信号の少なくとも一部が第２無線信号の伝送の間にモニタされるワイヤレスアクセスインターフェースの既知の周波数リソースおよび既知の時間リソースの一部を含む。
【００５５】
値ＴＳＴＡＲＴおよびＴＥＮＤは、仕様書で指定されるか、ＲＲＣによって設定されるか、ＤＣＩで示される。この構成では、ｅＮｏｄｅＢは、充分なサンプルを受信していない可能性があるので、ＰＵＳＣＨ繰り返しの早い段階の間に、ＰＵＳＣＨを正常に受信しない可能性があり、そのため、オフセットＴＳＴＡＲＴにより、ＰＵＳＣＨ伝送の早期段階の間にＵＥがＥＲＴを探すことを回避することが分かる。ＵＥがＥＲＴを受信するときまでに残りの繰り返しが僅かであるが、または完了しているためにモニタリングが必要ない場合は、ＴＥＮＤが用いられる。図１７に一例を示す。この場合、ｅＮｏｄｅＢは、繰り返しＲＰＵＳＣＨのＰＵＳＣＨをスケジュールするために、時間ｔ１で、繰り返しＲ１を用いて、ＭＰＤＣＣＨをＵＥに伝送する。ＰＵＳＣＨが、時間ｔ３で始まる残りのＭＰＤＣＣＨ  ＳＳ内の候補と完全に重複するが、本構成に従って、ＥＳＳは、ＴＳＴＡＲＴ後、すなわち時間ｔ４でのみ始まる。同様に、ＰＵＳＣＨが、時間ｔ６からｔ８の次のＭＰＤＣＣＨ  ＳＳ内のＭＰＤＣＣＨ候補と重複するが、ＥＳＳは最後の完全に重複するＭＰＤＣＣＨ候補の終了の前（すなわち時間ｔ７）にＴＥＮＤで終わる。これは、ＵＥがＰＵＳＣＨ繰り返しを完了したときに、ＥＲＴが到着するので、時間ｔ７で始まるＭＰＤＣＣＨ候補を用いて、ＥＲＴを伝送する必要がないためである。
【００５６】
先の構成では、ＥＳＳはＵＳＳのＭＰＤＣＣＨ候補を再利用する。構成の別の例では、上記ＥＳＳは、ＵＳＳ（ＵＥ固有ＭＰＤＣＣＨサーチスペース）によって用いられるものとは異なる周波数および時間リソースを占める場合がある。言い換えると、１つまたは複数の第３無線信号が受信される場合があるワイヤレスアクセスインターフェースの周波数リソースおよび時間リソースの既知のサブセットは、構成可能な開始時間から構成可能な終了時間までに収まる周波数リソースおよび時間リソースを含む。このＥＳＳ内のＭＰＤＣＣＨ候補（すなわち、繰り返し）は、ＴＰ−ＳＴＡＲＴからＴＰ−ＥＮＤの間に収まる。ＴＰ−ＳＴＡＲＴは、（図１７の）ＴＳＴＡＲＴとは異なる場合があり、ＴＰ−ＥＮＤは、（図１７の）ＴＥＮＤとは異なる場合があるという点に留意すべきである。全体的に、構成可能な開始時間は、第２信号の伝送が開始される時間に関連して設定される場合があり、構成可能な終了時間は、それまでに第２信号を通信デバイスが伝送する必要があることを、スケジューリング情報が示す最終の時間に関連して設定される場合がある。ｅＮｏｄｅＢが、時間ｔ１で、繰り返しＲ１を用いてＭＰＤＣＣＨをＵＥに伝送し、繰り返しＲＰＵＳＣＨのＰＵＳＣＨをスケジュールする場合の図１７に示す例では、構成可能な開始時間は、第１信号の伝送に用いられる候補に続く第１サーチスペースの残りの候補が始まる時間に関連して設定される場合があり、また、構成可能な終了時間は、それまでに第２信号を通信デバイスが伝送する必要があることを、スケジューリング情報が示す最終の時間と重複する第１サーチスペースの最後の候補の終了時間に関連して設定される場合がある。
【００５７】
上記の例示的構成のサブ構成では、候補ＲＥＳＳの繰り返しは、ＲＳ＋Ｋよりも少ない。言い換えると、構成可能な開始時間から構成可能な終了時間までに収まる周波数リソースおよび時間リソースは、１つまたは複数の第３無線信号が受信される場合がある第３サーチスペースを形成し、その第３サーチスペースは、第１サーチスペース内で第１無線信号を伝送するためにインフラストラクチャ装置によって選択された繰り返しレベルセットの繰り返しレベルと関連する第３無線信号候補を含むものである。
【００５８】
この構成では、ｅＮｏｄｅＢは、ＰＵＳＣＨをスケジュールするＤＣＩに用いられるものに近いＭＰＤＣＣＨ繰り返しを用いる可能性があることが分かる。図１８に一例を示す。この場合、ｅＮＢが、時間ｔ１で、繰り返しＲ２（すなわち、ＲＳ＝Ｒ２）でＭＰＤＣＣＨを伝送し、それは、繰り返しＲＰＵＳＣＨのＰＵＳＣＨをスケジュールする。ここで、Ｋ＝１であり、したがってＲＳ＋Ｋ＝Ｒ３、それゆえに、ＥＳＳ繰り返しはＲＥＳＳ＝｛Ｒ１，Ｒ２，Ｒ３｝である。ＴＰ−ＳＴＡＲＴおよびＴＰ−ＥＮＤを考慮に入れると、その結果のＥＳＳは、図１８の水平線で陰影をつけて示されたものである。
【００５９】
図１９は、本発明の技術の実施形態に従う、インフラストラクチャ装置およびＵＥを含む通信システムでの通信のプロセスを示すフロー図を示す。プロセスは、通信デバイスを操作する方法である。プロセスは、ステップＳ１９００で開始する。ステップＳ１９０１で、方法は、インフラストラクチャ装置からの第１無線信号に対する第１サーチスペースをモニタすることを含み、第１サーチスペースは、繰り返しレベルセットの一部を形成する複数の繰り返しレベルのうち関連する１つをそれぞれが有する第１無線信号の各候補を含み、関連する繰り返しレベルは、候補が伝送されてもよい繰り返し数を示し、第１無線信号は、通信デバイスによるインフラストラクチャ装置への第２無線信号の伝送に関するスケジューリング情報を含む。ステップＳ１９０２で、方法は、第１サーチスペース内で第１無線信号を検出すると、第２無線信号をインフラストラクチャ装置へ伝送することを含み、第２無線信号は、複数の連続する期間のそれぞれの間に所定の回数で繰り返し伝送される。ステップＳ１９０３で、プロセスは、インフラストラクチャ装置からの１つまたは複数の第３無線信号に対する第２サーチスペースをモニタすることを含み、第２サーチスペースは、ワイヤレスアクセスインターフェースの既知の周波数リソースおよび既知の時間リソースの一部であり、かつ繰り返しレベルセットの関連する繰り返しレベルをそれぞれが有する第３無線信号の１つまたは複数の候補を含む。続いて、方法は、ステップＳ１９０４に進み、第２無線信号の伝送の間に第３無線信号のうち少なくとも１つ（すなわち、第２無線信号の伝送ウィンドウと重複する）をモニタすることを決定することを含み、１つまたは複数の第３無線信号は、第３無線信号の候補のうち１つを用いて第３無線信号の選択された候補に関連する繰り返しレベルによって示される回数で繰り返し伝送される。ステップＳ１９０５で、さらに方法は、第１無線信号、第２無線信号、および／または第３無線信号のうち少なくとも１つの基準に基づいて、１つまたは複数の第３無線信号が受信される場合があるワイヤレスアクセスインターフェースの周波数リソースおよび時間リソースの既知のサブセットの間に早期終了インジケータをモニタすることを含み、早期終了インジケータは、インフラストラクチャ装置から受信され、かつインフラストラクチャ装置への第２無線信号の伝送が、終了される必要があることを示す。続いて、プロセスは、ステップＳ１９０６に進み、受信した早期終了インジケータに基づいて、インフラストラクチャ装置への第２無線信号の伝送を終了することを含む。プロセスは、ステップＳ１９０７で終了する。
【００６０】
本明細書で定義されたようなこのようなインフラストラクチャ装置および／または通信デバイスが、前述の段落で述べた種々の構成および実施形態に従って、さらに定義される場合があることを当業者は理解されるであろう。本明細書で定義され、かつ記載されるこのようなインフラストラクチャ装置および通信デバイスが、本発明によって定義されるもの以外の通信システムの一部を形成する場合があることを当業者はさらに理解されるであろう。
【００６１】
以下の番号付き段落では、本発明の技術の更なる例示的態様および特性を提示する。
【００６２】
段落１
インフラストラクチャ装置を含むワイヤレス通信ネットワークで使用される通信デバイスであって、
ワイヤレス通信ネットワークによって提供されるワイヤレスアクセスインターフェースを介して信号をインフラストラクチャ装置に伝送するように構成された送信機回路と、
ワイヤレスアクセスインターフェースを介して信号をインフラストラクチャ装置から受信するように構成された受信機回路と、
送信機回路および受信機回路を制御して、
インフラストラクチャ装置からの第１無線信号に対する第１サーチスペースをモニタし、第１サーチスペースは、繰り返しレベルセットの一部を形成する複数の繰り返しレベルのうち関連する１つをそれぞれが有する第１無線信号の各候補を含み、関連する繰り返しレベルは、候補が伝送されてもよい繰り返し数を示し、第１無線信号は、通信デバイスによるインフラストラクチャ装置への第２無線信号の伝送に関するスケジューリング情報を含み、
第１サーチスペース内で第１無線信号を検出すると、第２無線信号をインフラストラクチャ装置へ伝送し、第２無線信号は、複数の連続する期間のそれぞれの間に所定の回数で繰り返し伝送され、
インフラストラクチャ装置からの１つまたは複数の第３無線信号に対する第２サーチスペースをモニタし、第２サーチスペースは、ワイヤレスアクセスインターフェースの既知の周波数リソースおよび既知の時間リソースの一部であり、かつ繰り返しレベルセットの関連する繰り返しレベルをそれぞれが有する第３無線信号の１つまたは複数の候補を含み、
第２無線信号の伝送の間に第３無線信号のうち少なくとも１つをモニタすることを決定し、１つまたは複数の第３無線信号は、第３無線信号の候補のうち１つを用いて、第３無線信号の選択された候補に関連する繰り返しレベルによって示される回数で繰り返し伝送され、
第１無線信号、第２無線信号、および／または第３無線信号のうち少なくとも１つの基準に基づいて、１つまたは複数の第３無線信号が受信される場合があるワイヤレスアクセスインターフェースの周波数リソースおよび時間リソースの既知のサブセットの間に早期終了インジケータをモニタし、早期終了インジケータは、インフラストラクチャ装置から受信され、かつインフラストラクチャ装置への第２無線信号の伝送が終了される必要があることを示し、および、
受信した早期終了インジケータに基づいて、インフラストラクチャ装置への第２無線信号の伝送を終了する
ように構成された制御回路と、を備える、
通信デバイス。
【００６３】
段落２
早期終了インジケータがモニタされる基準は、第２無線信号が繰り返し伝送される間の時間が、繰り返しレベルセットのうち最大の繰り返しレベルを用いて特定数の第１無線信号が繰り返し伝送されるのに必要な時間よりも長いかどうかである、段落１に記載の通信デバイス。
【００６４】
段落３
早期終了インジケータがモニタされる基準は、第２無線信号が繰り返し伝送される間の時間が、繰り返しレベルセットのうち最大の繰り返しレベルを用いて特定数の第３無線信号が繰り返し伝送されるのに必要な時間よりも長いかどうかである、段落１または段落２に記載の通信デバイス。
【００６５】
段落４
第３無線信号の２つのサーチスペース間で、所定の時間長のオフセット期間が存在し、
早期終了インジケータがモニタされる基準は、第２無線信号が繰り返し伝送される間の時間が、特定数のオフセットピリオドの時間期間に加えて繰り返しレベルセットのうち最大の繰り返しレベルを用いて第３無線信号の特定の候補が伝送されるのに必要な時間よりも長いかどうかである、段落１から段落３のいずれかに記載の通信デバイス。
【００６６】
段落５
第３無線信号に対する第２サーチスペースが位置しているワイヤレスアクセスインターフェースの周波数リソースおよび時間リソースの既知のサブセットは、第１無線信号の第１サーチスペースに使用される周波数リソースおよび時間リソースと同じである、段落１から段落４のいずれかに記載の通信デバイス。
【００６７】
段落６
早期終了インジケータがモニタされる基準は、第２無線信号が繰り返し伝送される間の時間が、第１無線信号を繰り返し伝送するためにインフラストラクチャ装置によって選択された繰り返しレベルセットの繰り返しレベルを用いて特定数の第１無線信号が繰り返し伝送されるのに必要な時間よりも長いかどうかである、段落１から段落５のいずれかに記載の通信デバイス。
【００６８】
段落７
第１無線信号を繰り返し伝送するためにインフラストラクチャ装置によって選択された繰り返しレベルセットの繰り返しレベルは、所定量でオフセットされ、早期終了インジケータがモニタされる基準は、第２無線信号が繰り返し伝送される間の時間が、オフセット繰り返しレベルを用いて特定数の第１無線信号が繰り返し伝送されるのに必要な時間よりも長いかどうかである、段落１から段落６のいずれかに記載の通信デバイス。
【００６９】
段落８
第１無線信号の伝送に用いられる候補と、同じワイヤレスアクセスインターフェースの周波数リソースおよび時間リソースを共有する、第１サーチスペースの１つまたは複数の第１無線信号候補は、使用がブロックされ、
１つまたは複数の第３無線信号がモニタされる場合があるワイヤレスアクセスインターフェースの周波数リソースおよび時間リソースの既知のサブセットは、使用がブロックされない第１サーチスペースの第１無線信号候補を含む周波数リソースおよび時間リソースを含む、段落１から段落７のいずれかに記載の通信デバイス。
【００７０】
段落９
１つまたは複数の第３無線信号が受信される場合があるワイヤレスアクセスインターフェースの周波数リソースおよび時間リソースの既知のサブセットは、第２無線信号の伝送の間に、１つまたは複数の次の第１信号の少なくとも一部が受信されるワイヤレスアクセスインターフェースの既知の周波数リソースおよび既知の時間リソースの一部をさらに含む、段落８に記載の通信デバイス。
【００７１】
段落１０
１つまたは複数の第３無線信号が受信される場合があるワイヤレスアクセスインターフェースの周波数リソースおよび時間リソースの既知のサブセットは、構成可能な開始時間から構成可能な終了時間までに収まる周波数リソースおよび時間リソースを含む、段落１から段落９のいずれかに記載の通信デバイス。
【００７２】
段落１１
構成可能な開始時間は、第２信号の伝送が開始される時間に関連して設定される、段落１０に記載の通信デバイス。
【００７３】
段落１２
構成可能な終了時間は、それまでに第２信号を通信デバイスが伝送する必要があることを、スケジューリング情報が示す最終の時間に関連して設定される、段落１０または段落１１に記載の通信デバイス。
【００７４】
段落１３
構成可能な開始時間は、第１信号の伝送に用いられる候補に続く第１サーチスペースの残りの候補が始まる時間に関連して設定される、段落１０から段落１２のいずれかに記載の通信デバイス。
【００７５】
段落１４
構成可能な終了時間は、それまでに第２信号を通信デバイスが伝送する必要があることを、スケジューリング情報が示す最終の時間と重複する第１サーチスペースの最後の候補の終了時間に関連して設定される、段落１０から段落１３のいずれかに記載の通信デバイス。
【００７６】
段落１５
構成可能な開始時間から構成可能な終了時間までに収まる周波数リソースおよび時間リソースは、１つまたは複数の第３無線信号が受信される場合がある第３サーチスペースを形成し、その第３サーチスペースは、第１サーチスペース内で第１無線信号を伝送するためにインフラストラクチャ装置によって選択された繰り返しレベルセットの繰り返しレベルと関連する第３無線信号候補を含むものである、段落１０から段落１４のいずれかに記載の通信デバイス。
【００７７】
段落１６
インフラストラクチャ装置を含むワイヤレス通信ネットワークで使用される通信デバイスを動作させる方法であって、
インフラストラクチャ装置からの第１無線信号に対する第１サーチスペースをモニタすることであって、第１サーチスペースは、繰り返しレベルセットの一部を形成する複数の繰り返しレベルのうち関連する１つをそれぞれが有する第１無線信号の各候補を含み、関連する繰り返しレベルは、候補が伝送されてもよい繰り返し数を示し、第１無線信号は、通信デバイスによるインフラストラクチャ装置への第２無線信号の伝送に関するスケジューリング情報を含む、モニタすることと、
第１サーチスペース内で第１無線信号を検出すると、第２無線信号をインフラストラクチャ装置へ伝送することであって、第２無線信号は、複数の連続する期間のそれぞれの間に所定の回数で繰り返し伝送される、伝送することと、
インフラストラクチャ装置からの１つまたは複数の第３無線信号に対する第２サーチスペースをモニタすることであって、第２サーチスペースは、ワイヤレスアクセスインターフェースの既知の周波数リソースおよび既知の時間リソースの一部であり、かつ繰り返しレベルセットの関連する繰り返しレベルをそれぞれが有する第３無線信号の１つまたは複数の候補を含む、モニタすることと、
第２無線信号の伝送の間に第３無線信号のうち少なくとも１つをモニタすることを決定することであって、１つまたは複数の第３無線信号は、第３無線信号の候補のうち１つを用いて第３無線信号の選択された候補に関連する繰り返しレベルによって示される回数で繰り返し伝送される、決定することと、
第１無線信号、第２無線信号、および／または第３無線信号のうち少なくとも１つの基準に基づいて、１つまたは複数の第３無線信号が受信される場合があるワイヤレスアクセスインターフェースの周波数リソースおよび時間リソースの既知のサブセットの間に早期終了インジケータをモニタすることであって、早期終了インジケータは、インフラストラクチャ装置から受信され、かつインフラストラクチャ装置への第２無線信号の伝送が終了される必要があることを示す、モニタすることと、
受信した早期終了インジケータに基づいて、インフラストラクチャ装置への第２無線信号の伝送を終了することと、を含む、
方法。
【００７８】
段落１７
インフラストラクチャ装置を含むワイヤレス通信ネットワークで使用される通信デバイス向けの回路であって、上記通信デバイスは、
ワイヤレス通信ネットワークによって提供されるワイヤレスアクセスインターフェースを介して信号をインフラストラクチャ装置に伝送するように構成された送信機回路と、
ワイヤレスアクセスインターフェースを介して信号をインフラストラクチャ装置から受信するように構成された受信機回路と、
送信機回路および受信機回路を制御して、
インフラストラクチャ装置からの第１無線信号に対する第１サーチスペースをモニタし、第１サーチスペースは、繰り返しレベルセットの一部を形成する複数の繰り返しレベルのうちの関連する１つをそれぞれが有する第１無線信号の各候補を含み、関連する繰り返しレベルは、候補が伝送されてもよい繰り返し数を示し、第１無線信号は、通信デバイスによるインフラストラクチャ装置への第２無線信号の伝送に関するスケジューリング情報を含み、
第１サーチスペース内で第１無線信号を検出すると、第２無線信号をインフラストラクチャ装置へ伝送し、第２無線信号は、複数の連続する期間のそれぞれの間に所定の回数で繰り返し伝送され、
インフラストラクチャ装置からの１つまたは複数の第３無線信号に対する第２サーチスペースをモニタし、第２サーチスペースは、ワイヤレスアクセスインターフェースの既知の周波数リソースおよび既知の時間リソースの一部であり、かつ繰り返しレベルセットの関連する繰り返しレベルをそれぞれが有する第３無線信号の１つまたは複数の候補を含み、
第２無線信号の伝送の間に第３無線信号のうち少なくとも１つをモニタすることを決定し、１つまたは複数の第３無線信号は、第３無線信号の候補のうち１つを用いて、第３無線信号の選択された候補に関連する繰り返しレベルによって示される回数で繰り返し伝送され、
第１無線信号、第２無線信号、および／または第３無線信号のうち少なくとも１つの基準に基づいて、１つまたは複数の第３無線信号が受信される場合があるワイヤレスアクセスインターフェースの周波数リソースおよび時間リソースの既知のサブセットの間に早期終了インジケータをモニタし、早期終了インジケータは、インフラストラクチャ装置から受信され、かつインフラストラクチャ装置への第２無線信号の伝送が終了される必要があることを示し、および、
受信した早期終了インジケータに基づいて、インフラストラクチャ装置への第２無線信号の伝送を終了する
ように構成された制御回路と、を備える、
回路。
【００７９】
段落１８
通信デバイスを含むワイヤレス通信ネットワークで使用されるインフラストラクチャ装置であって、
ワイヤレス通信ネットワークによって提供されるワイヤレスアクセスインターフェースを介して信号を通信デバイスに伝送するように構成された送信機回路と、
ワイヤレスアクセスインターフェースを介して信号を通信デバイスから受信するように構成された受信機回路と、
送信機回路および受信機回路を制御して、
第１サーチスペース内で、第１無線信号を通信デバイスに伝送し、第１サーチスペースは、繰り返しレベルセットの一部を形成する複数の繰り返しレベルのうち関連する１つをそれぞれが有する第１無線信号の各候補を含み、関連する繰り返しレベルは、候補が伝送されてもよい繰り返し数を示し、第１無線信号は、通信デバイスによるインフラストラクチャ装置への第２無線信号の伝送に関するスケジューリング情報を含み、
通信デバイスから第２無線信号を受信し、第２無線信号は、複数の連続する期間のそれぞれの間に所定の回数で繰り返し伝送され、
ワイヤレスアクセスインターフェースの既知の周波数リソースおよび既知の時間リソースの一部を含む第２サーチスペース内で、１つまたは複数の第３無線信号を通信デバイスに伝送し、第２サーチスペースは、ワイヤレスアクセスインターフェースの既知の周波数リソースおよび既知の時間リソースの一部であり、かつ繰り返しレベルセットの関連する繰り返しレベルをそれぞれが有する第３無線信号の１つまたは複数の候補を含み、
１つまたは複数の第３無線信号が伝送される場合があるワイヤレスアクセスインターフェースの周波数リソースおよび時間リソースの既知のサブセットの間に、早期終了インジケータを通信デバイスに伝送し、早期終了インジケータは、インフラストラクチャ装置への第２無線信号の伝送が終了される必要があることを示す、
ように構成された制御回路と、を備える、
インフラストラクチャ装置。
【００８０】
段落１９
通信デバイスを含むワイヤレス通信ネットワークで使用されるインフラストラクチャ装置を動作させる方法であって、
通信デバイスから第１無線信号を受信することであって、第１無線信号は、複数の連続する期間のそれぞれの間に所定の回数で繰り返し伝送される、受信することと、
第１サーチスペース内で、第１無線信号を通信デバイスに伝送することであって、第１サーチスペースは、繰り返しレベルセットの一部を形成する複数の繰り返しレベルのうち関連する１つをそれぞれが有する第１無線信号の各候補を含み、関連する繰り返しレベルは、候補が伝送されてもよい繰り返し数を示し、第１無線信号は、通信デバイスによるインフラストラクチャ装置への第２無線信号の伝送に関するスケジューリング情報を含む、伝送することと、
通信デバイスからの第２無線信号を受信することであって、第２無線信号は、複数の連続する期間のそれぞれの間に所定の回数で繰り返し伝送される、受信することと、
ワイヤレスアクセスインターフェースの既知の周波数リソースおよび既知の時間リソースの一部を含む第２サーチスペース内で、１つまたは複数の第３無線信号を通信デバイスに伝送することであって、第２サーチスペースは、ワイヤレスアクセスインターフェースの既知の周波数リソースおよび既知の時間リソースの一部であり、かつ繰り返しレベルセットの関連する繰り返しレベルをそれぞれが有する第３無線信号の１つまたは複数の候補を含む、伝送することと、
１つまたは複数の第３無線信号が伝送される場合があるワイヤレスアクセスインターフェースの周波数リソースおよび時間リソースの既知のサブセットの間に、早期終了インジケータを通信デバイスに伝送することであって、早期終了インジケータは、インフラストラクチャ装置への第２無線信号の伝送が終了される必要があることを示す、伝送することと、を含む、
方法。
【００８１】
段落２０
通信デバイスを含むワイヤレス通信ネットワークで使用されるインフラストラクチャ装置向けの回路であって、上記インフラストラクチャ装置は、
ワイヤレス通信ネットワークによって提供されるワイヤレスアクセスインターフェースを介して信号を通信デバイスに伝送するように構成された送信機回路と、
ワイヤレスアクセスインターフェースを介して信号を通信デバイスから受信するように構成された受信機回路と、
送信機回路および受信機回路を制御して、
第１サーチスペース内で、第１無線信号を通信デバイスに伝送し、第１サーチスペースは、繰り返しレベルセットの一部を形成する複数の繰り返しレベルのうち関連する１つをそれぞれが有する第１無線信号の各候補を含み、関連する繰り返しレベルは、候補が伝送されてもよい繰り返し数を示し、第１無線信号は、通信デバイスによるインフラストラクチャ装置への第２無線信号の伝送に関するスケジューリング情報を含み、
通信デバイスから第２無線信号を受信し、第２無線信号は、複数の連続する期間のそれぞれの間に所定の回数で繰り返し伝送され、
ワイヤレスアクセスインターフェースの既知の周波数リソースおよび既知の時間リソースの一部を含む第２サーチスペース内で、１つまたは複数の第３無線信号を通信デバイスに伝送し、第２サーチスペースは、ワイヤレスアクセスインターフェースの既知の周波数リソースおよび既知の時間リソースの一部であり、かつ繰り返しレベルセットの関連する繰り返しレベルをそれぞれが有する第３無線信号の１つまたは複数の候補を含み、
１つまたは複数の第３無線信号が伝送される場合があるワイヤレスアクセスインターフェースの周波数リソースおよび時間リソースの既知のサブセットの間に、早期終了インジケータを通信デバイスに伝送し、早期終了インジケータは、インフラストラクチャ装置への第２無線信号の伝送が終了される必要があることを示す
ように構成された制御回路と、を備える、
回路。
【００８２】
段落２１
インフラストラクチャ装置および通信デバイスを含むワイヤレス通信ネットワークを含むワイヤレス通信システムであって、上記通信デバイスは、
インフラストラクチャ装置からの第１無線信号に対する第１サーチスペースをモニタし、第１サーチスペースは、繰り返しレベルセットの一部を形成する複数の繰り返しレベルのうちの関連する１つをそれぞれが有する第１無線信号の各候補を含み、関連する繰り返しレベルは、候補が伝送されてもよい繰り返し数を示し、第１無線信号は、通信デバイスによるインフラストラクチャ装置への第２無線信号の伝送に関するスケジューリング情報を含み、
第１サーチスペース内で第１無線信号を検出すると、第２無線信号をインフラストラクチャ装置へ伝送し、第２無線信号は、複数の連続する期間のそれぞれの間に所定の回数で繰り返し伝送され、
インフラストラクチャ装置からの１つまたは複数の第３無線信号に対する第２サーチスペースをモニタし、第２サーチスペースは、ワイヤレスアクセスインターフェースの既知の周波数リソースおよび既知の時間リソースの一部であり、かつ繰り返しレベルセットの関連する繰り返しレベルをそれぞれが有する第３無線信号の１つまたは複数の候補を含み、
第２無線信号の伝送の間に第３無線信号のうち少なくとも１つをモニタすることを決定し、１つまたは複数の第３無線信号は、第３無線信号の候補のうち１つを用いて、第３無線信号の選択された候補に関連する繰り返しレベルによって示される回数で繰り返し伝送され、
第１無線信号、第２無線信号、および／または第３無線信号のうち少なくとも１つの基準に基づいて、１つまたは複数の第３無線信号が受信される場合があるワイヤレスアクセスインターフェースの周波数リソースおよび時間リソースの既知のサブセットの間に早期終了インジケータをモニタし、早期終了インジケータは、インフラストラクチャ装置から受信され、かつインフラストラクチャ装置への第２無線信号の伝送が終了される必要があることを示し、および
受信した早期終了インジケータに基づいて、インフラストラクチャ装置への第２無線信号の伝送を終了するように構成される、
ワイヤレス通信システム。
【００８３】
段落２２
インフラストラクチャ装置および通信デバイスを含むワイヤレス通信ネットワークを含むワイヤレス通信システムを動作させる方法であって、
インフラストラクチャ装置からの第１無線信号に対する第１サーチスペースをモニタすることであって、第１サーチスペースは、繰り返しレベルセットの一部を形成する複数の繰り返しレベルのうち関連する１つをそれぞれが有する第１無線信号の各候補を含み、関連する繰り返しレベルは、候補が伝送されてもよい繰り返し数を示し、第１無線信号は、通信デバイスによるインフラストラクチャ装置への第２無線信号の伝送に関するスケジューリング情報を含む、モニタすることと、
第１サーチスペース内で第１無線信号を検出すると、第２無線信号をインフラストラクチャ装置へ伝送することであって、第２無線信号は、複数の連続する期間のそれぞれの間に所定の回数で繰り返し伝送される、伝送することと、
インフラストラクチャ装置からの１つまたは複数の第３無線信号に対する第２サーチスペースをモニタすることであって、第２サーチスペースは、ワイヤレスアクセスインターフェースの既知の周波数リソースおよび既知の時間リソースの一部であり、かつ繰り返しレベルセットの関連する繰り返しレベルをそれぞれが有する第３無線信号の１つまたは複数の候補を含む、モニタすることと、
第２無線信号の伝送の間に第３無線信号のうち少なくとも１つをモニタすることを決定することであって、１つまたは複数の第３無線信号は、第３無線信号の候補のうち１つを用いて第３無線信号の選択された候補に関連する繰り返しレベルによって示される回数で繰り返し伝送される、決定することと、
第１無線信号、第２無線信号、および／または第３無線信号のうち少なくとも１つの基準に基づいて、１つまたは複数の第３無線信号が受信される場合があるワイヤレスアクセスインターフェースの周波数リソースおよび時間リソースの既知のサブセットの間に早期終了インジケータをモニタすることであって、早期終了インジケータは、インフラストラクチャ装置から受信され、かつインフラストラクチャ装置への第２無線信号の伝送が終了される必要があることを示す、モニタすることと、
受信した早期終了インジケータに基づいて、インフラストラクチャ装置への第２無線信号の伝送を終了することと、を含む、
方法。
【００８４】
段落２３
インフラストラクチャ装置および通信デバイスを含むワイヤレス通信ネットワークを含むワイヤレス通信システム向けの回路であって、上記通信デバイスは、
インフラストラクチャ装置からの第１無線信号に対する第１サーチスペースをモニタし、第１サーチスペースは、繰り返しレベルセットの一部を形成する複数の繰り返しレベルのうちの関連する１つをそれぞれが有する第１無線信号の各候補を含み、関連する繰り返しレベルは、候補が伝送されてもよい繰り返し数を示し、第１無線信号は、通信デバイスによるインフラストラクチャ装置への第２無線信号の伝送に関するスケジューリング情報を含み、
第１サーチスペース内で第１無線信号を検出すると、第２無線信号をインフラストラクチャ装置へ伝送し、第２無線信号は、複数の連続する期間のそれぞれの間に所定の回数で繰り返し伝送され、
インフラストラクチャ装置からの１つまたは複数の第３無線信号に対する第２サーチスペースをモニタし、第２サーチスペースは、ワイヤレスアクセスインターフェースの既知の周波数リソースおよび既知の時間リソースの一部であり、かつ繰り返しレベルセットの関連する繰り返しレベルをそれぞれが有する第３無線信号の１つまたは複数の候補を含み、
第２無線信号の伝送の間に第３無線信号のうち少なくとも１つをモニタすることを決定し、１つまたは複数の第３無線信号は、第３無線信号の候補のうち１つを用いて、第３無線信号の選択された候補に関連する繰り返しレベルによって示される回数で繰り返し伝送され、
第１無線信号、第２無線信号、および／または第３無線信号のうち少なくとも１つの基準に基づいて、１つまたは複数の第３無線信号が受信される場合があるワイヤレスアクセスインターフェースの周波数リソースおよび時間リソースの既知のサブセットの間に早期終了インジケータをモニタし、早期終了インジケータは、インフラストラクチャ装置から受信され、かつインフラストラクチャ装置への第２無線信号の伝送が終了される必要があることを示し、および
受信した早期終了インジケータに基づいて、インフラストラクチャ装置への第２無線信号の伝送を終了するように構成される、
回路。
【００８５】
上記の明瞭にするための説明は、異なる機能のユニット、回路、および／またはプロセッサに関する実施形態の説明であることを理解されよう。しかし、異なる機能のユニット、回路、および／またはプロセッサ間の機能性の任意の好適な分散が、実施形態を損なうことなく用いられる場合があることは、明らかである。
【００８６】
記載の実施形態は、ハードウェア、ソフトウェア、ファームウェアまたはそれらの任意の組み合わせを含む任意の好適な形態で実装されてよい。記載の実施形態は、任意選択で、１つまたは複数のデータプロセッサおよび／またはデジタル信号プロセッサで動作するコンピュータソフトウェアとして少なくとも部分的に実装されてよい。いずれの実施形態の構成要素および構成部分も、任意の好適な方式で、物理的に、機能的に、かつ論理的に実装されてよい。実際に、機能は、単一のユニットで、複数のユニットで、または他の機能ユニットの一部として実装されてよい。したがって、開示の実施形態は、単一のユニットに実装されるか、または異なるユニット、回路、および／またはプロセッサ間で物理的、かつ機能的に分散される場合がある。
【００８７】
本開示は、いくつかの実施形態に関連して記載されているが、本明細書で述べられる特定の形態に限定することを意図するものではない。さらに、特性が、特定の実施形態に関連して記載されているように見える場合があるが、当業者であれば、記載の実施形態の種々の特性が、技術を実装するのに好適な任意の方式で組み合わされる場合があることを理解されよう。
【００８８】
参考文献
［１］Holma  H.  および  Toskala  A、「ＵＭＴＳ  ＯＦＤＭＡおよびＳＣ−ＦＤＭＡベースの無線アクセス向けのＬＴＥ(LTE  for  UMTS  OFDMA  and  SC-FDMA  based  radio  access)」,  John  Wiley  and  Sons,  2009
［２］RP-161464、「ＬＴＥ向けのさらに拡張されたＭＴＣに対する修正されたＷＩＤ(Revised  WID  for  Further  Enhanced  MTC  for  LTE)」,  Ericsson,  3GPP  TSG  RAN  Meeting  #73,  New  Orleans,  USA,  September  19  -  22,  2016
［３］RP-161901「修正された作業アイテム提案、ＮＢ−ＩｏＴの拡張(Revised  work  item  proposal:  Enhancements  of  NB-IoT)」,  Huawei,  HiSilicon,  3GPP  TSG  RAN  Meeting  #73,  New  Orleans,  USA,  September  19  -  22,  2016
［４］RP-170732、「ＬＴＥ向けのいっそうさらに拡張されたＭＴＣに関する新しいＷＩＤ(New  WID  on  Even  further  enhanced  MTC  for  LTE)」,  Ericsson,  Qualcomm,  3GPP  TSG  RAN  Meeting  #75,  Dubrovnik,  Croatia,  March  6  -  9,  2017
［５］RP-170852、「更なるＮＢ−ＩｏＴ拡張に関する新しいＷＩＤ(New  WID  on  Further  NB-IoT  enhancements,)」,  Huawei,  HiSilicon,  Neul,  3GPP  TSG  RAN  Meeting  #75,  Dubrovnik,  Croatia,  March  6  -  9,  2017
［６］3GPP  TS  36.311、「無線リソース制御（ＲＲＣ）(Radio  Resource  Control  (RRC))」,  Third  Generation  Partnership  Project,  Release  14
［７］R1-1719712、「ＭＴＣ向けのＵＬ  ＨＡＲＱ−ＡＣＫフィードバックに関して残る問題(Remaining  issues  on  UL  HARQ-ACK  feedback  for  MTC)」,  ZTE,  Sanechips,  RAN1#91.
【図１】
2021514585.tif 000003
【図２】
2021514585.tif 000004
【図３】
2021514585.tif 000005
【図４】
2021514585.tif 000006
【図５】
2021514585.tif 000007
【図６Ａ】
2021514585.tif 000008
【図６Ｂ】
2021514585.tif 000009
【図６Ｃ】
2021514585.tif 000010
【図６Ｄ】
2021514585.tif 000011
【図７】
2021514585.tif 000012
【図８】
2021514585.tif 000013
【図９】
2021514585.tif 000014
【図１０】
2021514585.tif 000015
【図１１】
2021514585.tif 000016
【図１２】
2021514585.tif 000017
【図１３】
2021514585.tif 000018
【図１４】
2021514585.tif 000019
【図１５】
2021514585.tif 000020
【図１６】
2021514585.tif 000021
【図１７】
2021514585.tif 000022
【図１８】
2021514585.tif 000023
【図１９】
2021514585.tif 000024
【国際調査報告】
2021514585.tif 000025
2021514585.tif 000026
2021514585.tif 000027